(57)【要約】      （修正有）【課題】  被験者が身体全体を動かしながら、人間の機能を計測できる新たな機能計測装置を提供する。【解決手段】  マットユニット７はフットスイッチＳＷ１〜ＳＷ４を含み被験者の踏み動作を検出する。被験者は椅子に腰掛けたままフットスイッチＳＷ２及びＳＷ３上で踏み動作を行う。フットスイッチＳＷ１〜ＳＷ４のオン／オフ情報は赤外線によりアダプタ１に送信される。アダプタ１にはカートリッジ３が装着され、フットスイッチＳＷ１〜ＳＷ４のオン／オフ情報は、アダプタ１からカートリッジ３に与えられる。カートリッジ３に内蔵されるプロセッサは、フットスイッチＳＷ２及びＳＷ３のいずれかが踏み動作を検知してから所定回数の踏み動作が検知されるまでの時間を計数する。計数結果はテレビジョンモニタ５に表示される。【選択図】図１
2008029475.tif 000002
【特許請求の範囲】
【請求項１】
表示装置に接続して使用される機能計測装置であって、
被験者からの入力としての踏み動作を検知する検知手段と、
前記検知手段が踏み動作を検知してから所定回数の踏み動作が検知されるまでの時間を計数する計数手段と、
前記計数手段による計数結果を前記表示装置に表示する表示制御手段と、を備える機能計測装置。
【請求項２】
前記検知手段は、前記被験者が腰掛けた状態で行う踏み動作を検知する、請求項１記載の機能計測装置。
【請求項３】
表示装置に接続して使用される機能計測装置であって、
被験者からの入力としての踏み動作を検知する検知手段と、
予め定められた時間間隔で、映像及び／又は音声により、踏み込みのタイミングを案内する案内手段と、
前記検知手段が踏み動作を検知してから次の踏み動作を検知するまでの時間であるステップ間隔を計数する計数手段と、
前記予め定められた時間間隔と、前記案内の終了後に計測された前記ステップ間隔と、の差を算出する差算出手段と、
前記差を視覚的に示すための映像を前記表示装置に表示する表示制御手段と、を備え、
前記計数手段は、前記検知手段が所定回数の踏み動作を検知するまで、踏み動作ごとに前記ステップ間隔を計数し、
前記差算出手段は、踏み動作ごとに前記差を算出する、機能計測装置。
【請求項４】
表示装置に接続して使用される機能計測装置であって、
被験者からの入力としてのジャンプ動作を検知する検知手段と、
前記検知手段が前記被験者の浮揚を検知してから接地を検知するまでの時間である滞空時間を計数する滞空時間計数手段と、
前記滞空時間計数手段による計数結果である前記滞空時間を前記表示装置に表示する表示制御手段と、を備える機能計測装置。
【請求項５】
前記検知手段が前記被験者の接地を検知してから浮揚を検知するまでの時間である接地時間を計数する接地時間計数手段をさらに備え、
前記滞空時間計数手段は、連続した所定回数の前記滞空時間を計数し、
前記接地時間計数手段は、連続した前記所定回数の前記接地時間を計数する、請求項４記載の機能計測装置。
【請求項６】
表示装置に接続して使用される機能計測装置であって、
被験者の足の接地及び非接地を検知する検知手段と、
前記被験者に対して所定時間の計時を行うことを、前記表示装置によって、又は、音声によって、指示する指示手段と、
前記指示の後、前記被験者に対して計時開始時点を、前記表示装置によって、又は、音声によって、指示する開始手段と、
前記計時開始時点から計時を開始し、足の接地から非接地への変化及び足の非接地から接地への変化のうち、予め定められた変化を、前記検知手段が検知した時に、計時を終了する計時手段と、を備える機能計測装置。
【請求項７】
表示装置に接続して使用される機能計測装置であって、
被験者からの入力としての踏み動作を検知する検知手段と、
前記被験者が踏み込むべき踏み位置を前記表示装置にて明示するガイド手段と、
前記ガイド手段が、前記被験者が踏み込むべき前記踏み位置を明示した時点から計時を開始し、前記被験者が当該踏み位置を踏み込んだ時に計時を停止する計時手段と、
前記計時手段による計時結果を前記表示装置に表示する結果表示手段と、を備える機能計測装置。
【請求項８】
前記ガイド手段は、前記被験者が踏み込むべき前記踏み位置の明示を繰り返し行う、請求項７載の機能計測装置。
【請求項９】
表示装置に接続して使用される機能計測装置であって、
被験者からの入力としての踏み動作を検知する検知手段と、
前記被験者が踏み込むべき踏み位置を前記表示装置にて繰り返し明示するガイド手段と、
前記ガイド手段が、前記被験者が踏み込むべき前記踏み位置を最初に明示した時点から計時を開始し、所定時間経過後に計時を終了する計時手段と、
前記ガイド手段が明示した前記踏み位置を前記被験者が踏み込んだ回数を計数する計数手段と、
前記計数手段による計数結果を前記表示装置に表示する結果表示手段と、を備える機能計測装置。
【請求項１０】
表示装置に接続して使用される機能計測装置であって、
被験者からの入力としての踏み動作を検知する検知手段と、
複数の踏み位置を前記被験者が踏み込むべき順番を前記表示装置にて明示するガイド手段と、を備え、
前記順番は固定であり、
前記ガイド手段は、前記順番の明示を繰り返し行い、明示回数の増加に従って、前記順番を明示する時間を短くし、
前記機能計測装置は、
前記検知手段の検知結果に基づいて、前記被験者が、前記ガイド手段の明示に従った踏み動作を行っていないと判定した場合に、前記ガイド手段に、前記順番の明示を終了させる判定手段をさらに備える、機能計測装置。
【請求項１１】
表示装置に接続して使用される機能計測装置であって、
被験者からの入力としての踏み動作を検知する検知手段と、
複数の踏み位置に対応して、複数の対応画像を前記表示装置に表示する対応画像表示手段と、
前記複数の対応画像の少なくとも２つに対応して、少なくとも２つの情報表示部を前記表示装置に表示する情報表示手段と、を備える機能計測装置。
【請求項１２】
前記情報表示手段は、前記複数の情報表示部のうち、１つの前記情報表示部には、他の前記情報表示部に表示する情報の内容と種類の異なる内容の情報を表示する、請求項１１記載の機能計測装置。
【請求項１３】
前記情報表示手段は、前記複数の対応画像のうちの所定の２つの対応画像に対応して、２つの前記情報表示部を前記表示装置に表示し、互いに異なる数値を示す情報を表示する、請求項１１記載の機能計測装置。
【請求項１４】
前記情報表示手段は、前記複数の対応画像のうちの所定の２つの対応画像に対応して、２つの前記情報表示部を前記表示装置に表示し、互いに異なる数値を示す情報又は互いに等しい数値を示す情報を表示する、請求項１１記載の機能計測装置。
【請求項１５】
表示装置に接続して使用される機能計測装置であって、
被験者からの入力としての踏み動作を検知する検知手段と、
複数の踏み位置を前記被験者が踏み込むべき順番を前記表示装置にて明示するガイド手段と、を備え、
前記順番は任意であり、
前記ガイド手段は、前記順番の明示を繰り返し行い、明示回数の増加に従って、前記順番を構成する要素を増加し、
前記機能計測装置は、
前記ガイド手段による１回の明示の終了後の前記被験者の踏み動作に基づく前記検知手段の検知結果に基づいて、前記被験者が、その明示の終了後に前記ガイド手段の明示に従った踏み動作を行っていないと判定した場合に、前記ガイド手段に対して、前記順番の次の明示を行わないように指示する判定手段をさらに備える、機能計測装置。
【請求項１６】
表示装置に接続して使用される機能計測装置であって、
被験者の全身運動を検知する検知手段と、
周期的に運動するオブジェクトを前記表示装置に表示する表示制御手段と、
前記検知手段による検知結果と前記オブジェクトの位置とに基づいて、一周期ごとに、成功／失敗判定を行う判定手段と、
前記判定手段が成功と判定したときに、計数値をインクリメントする計数手段と、を備える機能計測装置。
【請求項１７】
前記判定手段は、前記オブジェクトの一周期の第１区間において、前記被験者の第１所定動作が検知された場合に、前記第１区間に続く第２区間において、前記被験者の第２所定動作が検知されたときに、成功であると判定し、前記第２動作が検知されなかったときに、失敗であると判定する、請求項１６記載の機能計測装置。
【請求項１８】
前記オブジェクトの形態は、線状かつ曲線であり、
前記周期運動は、回転運動である、請求項１６又は１７記載の機能計測装置。
【請求項１９】
前記検知手段は、
複数の踏み部と、
各々が対応する前記踏み部の下部に設けられる複数のスイッチと、を含むマットである、請求項１から１８記載の機能計測装置。
【発明の詳細な説明】
【技術分野】
【０００１】
本発明は、人間の運動機能（運動能力）等の機能（能力）を計測する機能計測装置及びその関連技術に関する。
【背景技術】
【０００２】
特許文献１は、「垂直跳び」の一般的な測定方法を説明している。この文献によれば、まず壁に黒板をかけ床面上に壁から２０ｃｍの所に壁と平行なラインを引く。被験者は壁に対して左右どちらかの体側が正対するように身体の向きを調整し、壁側の足が床面に引いたラインに外接するよう両足をそろえて立つ。壁側の手の指先にチョークの粉をつけ、まず腕を上方に真っ直ぐ伸ばし（この際かかとを上げてはならない）指先を黒板に当てて、チョーク粉で印をつける。次にいったん上げた腕を下ろし、助走などをとらずその場でできるだけ高く跳び上がるようにし、腕を再度上方に伸ばして最上点で指先のチョーク粉で黒板に印をつけるようにする。この跳躍動作を２回行い、高い方の印と跳躍前につけた印との間の垂直距離を計測して、被験者の記録とする。
【０００３】
ところで、「垂直跳び」は、被験者の瞬発力を判断する目安となる。
【０００４】
【特許文献１】特開２０００−３００７１０号公報
【発明の開示】
【発明が解決しようとする課題】
【０００５】
しかしながら、瞬発力を知りたい場合、「垂直跳び」による垂直距離を測定する必要は必ずしもない。また、瞬発力の他にも、人間の運動機能（運動能力）として、反射神経、巧緻性、敏捷性、脚力、及びリズム等、様々なものがある。さらに、これらの他にも人間の機能（能力）として、記憶力、判断力、及び集中力等、様々なものがある。人間が自分自身について、これらの情報を知って、これらの機能（能力）の向上を図ることができれば、身体的・精神的な健康の回復・維持・増進等に役に立つことが期待できる。
【０００６】
そこで、本発明の目的は、被験者が身体全体を動かしながら、人間の機能を計測できる新たな機能計測装置及びその関連技術を提供することである。
【課題を解決するための手段】
【０００７】
本発明の第１の観点によれば、機能計測装置は、表示装置に接続して使用される機能計測装置であって、被験者からの入力としての踏み動作を検知する検知手段と、前記検知手段が踏み動作を検知してから所定回数の踏み動作が検知されるまでの時間を計数する計数手段と、前記計数手段による計数結果を前記表示装置に表示する表示制御手段と、を備える。この場合、計測された時間は、被験者の運動機能の１つである敏捷性を判断する際の目安となる。このように、被験者の踏み動作を検知して当該被験者の敏捷性を計測する。
【０００８】
ここで、検知手段は、被験者に装着されて、その踏み動作を検知する手段、及び、被験者を撮影して、その踏み動作を検知する手段、を含む概念である。
【０００９】
この機能計測装置は、表示装置に接続して使用される機能計測装置であって、各々が、被験者からの入力としての踏み動作を検知する検知手段を含む複数の踏み部と、前記検知手段のいずれかが踏み動作を検知してから所定回数の踏み動作が検知されるまでの時間を計数する計数手段と、前記計数手段による計数結果を前記表示装置に表示する表示制御手段と、を備える構成とすることもできる。
【００１０】
この構成によれば、被験者が所定回数の踏み動作に要した時間を計測する。計測された時間は、被験者の運動機能の１つである敏捷性を判断する際の目安となる。つまり、計測された時間が短ければ敏捷性が高く、計測された時間が長ければ敏捷性が低いと言える。また、被験者は、このような計測を通じて運動を行うことになるので、この機能計測装置は、運動支援装置としても機能する。
【００１１】
上記機能計測装置において、前記検知手段は、前記被験者が腰掛けた状態で行う踏み動作を検知する。
【００１２】
本発明の第２の観点によれば、機能計測装置は、表示装置に接続して使用される機能計測装置であって、被験者からの入力としての踏み動作を検知する検知手段と、予め定められた時間間隔で、映像及び／又は音声により、踏み込みのタイミングを案内する案内手段と、前記検知手段が踏み動作を検知してから次の踏み動作を検知するまでの時間であるステップ間隔を計数する計数手段と、前記予め定められた時間間隔と、前記案内の終了後に計測された前記ステップ間隔と、の差を算出する差算出手段と、前記差を視覚的に示すための映像を前記表示装置に表示する表示制御手段と、を備え、前記計数手段は、前記検知手段が所定回数の踏み動作を検知するまで、踏み動作ごとに前記ステップ間隔を計数し、前記差算出手段は、踏み動作ごとに前記差を算出する。この場合、差の大きさは、指示されたリズム（つまり、予め定められた時間間隔）で、被験者が踏み動作を行うことができたか否かを示す指標になる。従って、差の大きさは、被験者のリズム感を判断する目安となる。このように、被験者の踏み動作を検知して当該被験者のリズム感を計測する。
【００１３】
ここで、検知手段は、被験者に装着されて、その踏み動作を検知する手段、及び、被験者を撮影して、その踏み動作を検知する手段、を含む概念である。
【００１４】
この機能計測装置は、表示装置に接続して使用される機能計測装置であって、各々が、被験者からの入力としての踏み動作を検知する検知手段を含む複数の踏み部と、予め定められた時間間隔で、映像及び／又は音声により、踏み込みのタイミングを案内する案内手段と、前記検知手段のいずれかが踏み動作を検知してから他の前記検知手段が次の踏み動作を検知するまでの時間であるステップ間隔を計数する計数手段と、前記予め定められた時間間隔と、前記案内の終了後に計測された前記ステップ間隔と、の差を算出する差算出手段と、前記差を視覚的に示すための映像を前記表示装置に表示する表示制御手段と、を備える構成とすることもできる。この場合、前記計数手段は、前記検知手段が所定回数の踏み動作を検知するまで、踏み動作ごとに前記ステップ間隔を計数し、前記差算出手段は、踏み動作ごとに前記差を算出する。
【００１５】
この構成によれば、被験者のステップ間隔を計測して、予め定められた時間間隔との差を算出する。差の大きさは、指示されたリズム（つまり、予め定められた時間間隔）で、被験者が踏み動作を行うことができたか否かを示す指標になる。従って、差の大きさは、被験者のリズム感を判断する目安となる。また、被験者は、このような計測を通じて運動を行うことになるので、この機能計測装置は、運動支援装置としても機能する。
【００１６】
本発明の第３の観点によれば、機能計測装置は、表示装置に接続して使用される機能計測装置であって、被験者からの入力としてのジャンプ動作を検知する検知手段と、前記検知手段が前記被験者の浮揚を検知してから接地を検知するまでの時間である滞空時間を計数する滞空時間計数手段と、前記滞空時間計数手段による計数結果である前記滞空時間を前記表示装置に表示する表示制御手段と、を備える。また、この機能計測装置は、前記検知手段が前記被験者の接地を検知してから浮揚を検知するまでの時間である接地時間を計数する接地時間計数手段をさらに備えることができ、前記滞空時間計数手段は、連続した所定回数の前記滞空時間を計数し、前記接地時間計数手段は、連続した前記所定回数の前記接地時間を計数する。
【００１７】
この場合、計測された滞空時間は、被験者の瞬発力（力を急激に発揮する能力）の判断の目安となる。このように、被験者の踏み動作を検知して当該被験者の瞬発力を計測する。また、所定回数の滞空時間の平均値と、所定回数の接地時間の平均値と、に基づいて、滞空率を算出できる。このような滞空率は、被験者の反応筋力、つまり、短い接地時間で効率良く筋肉や腱のバネを引き出す力の判断の目安となる。このように、被験者の踏み動作を検知して当該被験者の反応筋力を計測する。
【００１８】
ここで、検知手段は、被験者に装着されて、その踏み動作を検知する手段、及び、被験者を撮影して、その踏み動作を検知する手段、を含む概念である。
【００１９】
一方、機能計測装置は、表示装置に接続して使用される機能計測装置であって、各々が、被験者からの入力としての踏み込みを検知する検知手段を含む複数の踏み部と、前記検知手段のいずれも踏み込みを検知していない状態から、前記検知手段のいずれかが踏み込みを検知するまでの時間である滞空時間を計数する滞空時間計数手段と、前記滞空時間計数手段による計数結果である前記滞空時間を前記表示装置に表示する表示制御手段と、を備える構成とすることもできる。
【００２０】
この構成によれば、被験者の滞空時間を計測する。このようにして計測された滞空時間は、被験者の瞬発力（力を急激に発揮する能力）の判断の目安となる。また、被験者は、このような計測を通じて運動を行うことになるので、この機能計測装置は、運動支援装置としても機能する。
【００２１】
この場合、この機能計測装置は、前記検知手段のいずれかが踏み込みを検知している状態から、前記検知手段のいずれもが踏み込みを検知しなくなるまでの時間である接地時間を計数する接地時間計数手段をさらに備えることができ、前記滞空時間計数手段は、連続した所定回数の前記滞空時間を計数し、前記接地時間計数手段は、連続した前記所定回数の前記接地時間を計数する。
【００２２】
この構成によれば、所定回数の滞空時間及び接地時間を計測する。従って、所定回数の滞空時間の平均値Ａａと、所定回数の接地時間の平均値Ａｇと、に基づいて、滞空率を算出できる。例えば、滞空率＝Ａａ／（Ａａ＋Ａｇ）、である。このような滞空率は、被験者の反応筋力、つまり、短い接地時間で効率良く筋肉や腱のバネを引き出す力の判断の目安となる。
【００２３】
本発明の第４の観点によれば、機能計測装置は、表示装置に接続して使用される機能計測装置であって、被験者の足の接地及び非接地を検知する検知手段と、前記被験者に対して所定時間の計時を行うことを、前記表示装置によって、又は、音声によって、指示する指示手段と、前記指示の後、前記被験者に対して計時開始時点を、前記表示装置によって、又は、音声によって、指示する開始手段と、前記計時開始時点から計時を開始し、足の接地から非接地への変化及び足の非接地から接地への変化のうち、予め定められた変化を、前記検知手段が検知した時に、計時を終了する計時手段と、を備える。この場合、被験者の計時結果と、指示手段が指示した所定時間と、の差を見ることで、被験者の計時、つまり、体内時計の正確性を判断できる。
【００２４】
ここで、検知手段は、被験者に装着されて、その踏み動作を検知する手段、及び、被験者を撮影して、その踏み動作を検知する手段、を含む概念である。
【００２５】
この機能計測装置は、表示装置に接続して使用される機能計測装置であって、各々が、被験者の足の接地及び非接地を検知する検知手段を含む複数の踏み部と、前記被験者に対して所定時間の計時を行うことを、前記表示装置によって、又は、音声によって、指示する指示手段と、前記指示の後、前記被験者に対して計時開始時点を、前記表示装置によって、又は、音声によって、指示する開始手段と、前記計時開始時点から計時を開始し、足の接地から非接地への変化及び足の非接地から接地への変化のうち、予め定められた変化を、前記検知手段が検知した時に、計時を終了する計時手段と、を備える構成とすることもできる。
【００２６】
この構成によれば、被験者の計時結果と、指示手段が指示した所定時間と、の差を見ることで、被験者の計時、つまり、体内時計の正確性を判断できる。
【００２７】
本発明の第５の観点によれば、機能計測装置は、表示装置に接続して使用される機能計測装置であって、被験者からの入力としての踏み動作を検知する検知手段と、前記被験者が踏み込むべき踏み位置を前記表示装置にて明示するガイド手段と、前記ガイド手段が、前記被験者が踏み込むべき前記踏み位置を明示した時点から計時を開始し、前記被験者が当該踏み位置を踏み込んだ時に計時を停止する計時手段と、前記計時手段による計時結果を前記表示装置に表示する結果表示手段と、を備える。この場合、前記ガイド手段は、前記被験者が踏み込むべき前記踏み位置の明示を繰り返し行う。計時結果を見ることにより、被験者が、ガイド手段により明示された踏み位置を、どのくらい素早く踏むことができたかを知ることができる。
【００２８】
ここで、検知手段は、被験者に装着されて、その踏み動作を検知する手段、及び、被験者を撮影して、その踏み動作を検知する手段、を含む概念である。
【００２９】
この機能計測装置は、表示装置に接続して使用される機能計測装置であって、各々が、被験者からの入力としての踏み動作を検知する検知手段を含む複数の踏み部と、前記被験者が踏み込むべき前記踏み部を前記表示装置にて明示するガイド手段と、前記ガイド手段が、前記被験者が踏み込むべき前記踏み部を明示した時点から計時を開始し、前記被験者が当該踏み部を踏み込んだ時に計時を停止する計時手段と、前記計時手段による計時結果を前記表示装置に表示する結果表示手段と、を備える構成とすることもできる。
【００３０】
この構成によれば、計時結果を見ることにより、被験者が、ガイド手段により明示された踏み部を、どのくらい素早く踏むことができたかを知ることができる。
【００３１】
この機能計測装置において、前記ガイド手段は、前記被験者が踏み込むべき前記踏み部の明示を繰り返し行う。
【００３２】
本発明の第６の観点によれば、機能計測装置は、表示装置に接続して使用される機能計測装置であって、被験者からの入力としての踏み動作を検知する検知手段と、前記被験者が踏み込むべき踏み位置を前記表示装置にて繰り返し明示するガイド手段と、前記ガイド手段が、前記被験者が踏み込むべき前記踏み位置を最初に明示した時点から計時を開始し、所定時間経過後に計時を終了する計時手段と、前記ガイド手段が明示した前記踏み位置を前記被験者が踏み込んだ回数を計数する計数手段と、前記計数手段による計数結果を前記表示装置に表示する結果表示手段と、を備える。この場合、計数結果を見ることにより、被験者が、ガイド手段により明示された踏み位置を、所定時間内に何回踏むことができたかを知ることができる。
【００３３】
ここで、検知手段は、被験者に装着されて、その踏み動作を検知する手段、及び、被験者を撮影して、その踏み動作を検知する手段、を含む概念である。
【００３４】
この機能計測装置は、表示装置に接続して使用される機能計測装置であって、各々が、被験者からの入力としての踏み動作を検知する検知手段を含む複数の踏み部と、前記被験者が踏み込むべき前記踏み部を前記表示装置にて繰り返し明示するガイド手段と、前記ガイド手段が、前記被験者が踏み込むべき前記踏み部を最初に明示した時点から計時を開始し、所定時間経過後に計時を終了する計時手段と、前記ガイド手段が明示した前記踏み部を前記被験者が踏み込んだ回数を計数する計数手段と、前記計数手段による計数結果を前記表示装置に表示する結果表示手段と、を備える構成とすることもできる。
【００３５】
この構成によれば、計数結果を見ることにより、被験者が、ガイド手段により明示された踏み部を、所定時間内に何回踏むことができたかを知ることができる。
【００３６】
本発明の第７の観点によれば、機能計測装置は、表示装置に接続して使用される機能計測装置であって、被験者からの入力としての踏み動作を検知する検知手段と、複数の踏み位置を前記被験者が踏み込むべき順番を前記表示装置にて明示するガイド手段と、を備え、前記順番は固定であり、前記ガイド手段は、前記順番の明示を繰り返し行い、明示回数の増加に従って、前記順番を明示する時間を短くし、前記機能計測装置は、前記検知手段の検知結果に基づいて、前記被験者が、前記ガイド手段の明示に従った踏み動作を行っていないと判定した場合に、前記ガイド手段に、前記順番の明示を終了させる判定手段をさらに備える。この場合、順番を明示する時間が段々短くなるので、被験者は、明示された踏み位置を踏込むことが困難になる。従って、被験者がどの段階まで明示通りに踏み動作を行ったかという情報は、被験者の運動機能の目安となる。
【００３７】
ここで、検知手段は、被験者に装着されて、その踏み動作を検知する手段、及び、被験者を撮影して、その踏み動作を検知する手段、を含む概念である。
【００３８】
この機能計測装置は、表示装置に接続して使用される機能計測装置であって、各々が、被験者からの入力としての踏み動作を検知する検知手段を含む複数の踏み部と、前記複数の踏み部を前記被験者が踏み込むべき順番を前記表示装置にて明示するガイド手段と、を備える構成とすることもできる。この場合、前記順番は固定であり、前記ガイド手段は、前記順番の明示を繰り返し行い、明示回数の増加に従って、前記順番を明示する時間を短くし、前記機能計測装置は、複数の前記検知手段の検知結果に基づいて、前記被験者が、前記ガイド手段の明示に従った踏み動作を行っていないと判定した場合に、前記ガイド手段に、前記順番の明示を終了させる判定手段をさらに備える。
【００３９】
この構成によれば、順番を明示する時間が段々短くなるので、被験者は、明示された踏み部を踏込むことが困難になる。従って、被験者がどの段階まで明示通りに踏み動作を行ったかという情報は、被験者の運動機能の目安となる。
【００４０】
本発明の第８の観点によれば、機能計測装置は、表示装置に接続して使用される機能計測装置であって、被験者からの入力としての踏み動作を検知する検知手段と、複数の踏み位置に対応して、複数の対応画像を前記表示装置に表示する対応画像表示手段と、前記複数の対応画像の少なくとも２つに対応して、少なくとも２つの情報表示部を前記表示装置に表示する情報表示手段と、を備える。この場合、被験者に対して、踏み動作によって、１又は複数の情報表示部を選択させることができる。従って、情報表示部に表示する情報の内容によって、被験者に対して出題して、その解答を得ることができる。この機能計測装置において、前記情報表示手段は、前記複数の情報表示部のうち、１つの前記情報表示部には、他の前記情報表示部に表示する情報の内容と種類の異なる内容の情報を表示する。また、この機能計測装置において、前記情報表示手段は、前記複数の対応画像のうちの所定の２つの対応画像に対応して、２つの前記情報表示部を前記表示装置に表示し、互いに異なる数値を示す情報を表示することもできる。さらに、この機能計測装置において、前記情報表示手段は、前記複数の対応画像のうちの所定の２つの対応画像に対応して、２つの前記情報表示部を前記表示装置に表示し、互いに異なる数値を示す情報又は互いに等しい数値を示す情報を表示することもできる。
【００４１】
ここで、検知手段は、被験者に装着されて、その踏み動作を検知する手段、及び、被験者を撮影して、その踏み動作を検知する手段、を含む概念である。
【００４２】
この機能計測装置は、表示装置に接続して使用される機能計測装置であって、各々が、被験者の足の接地及び非接地を検知する検知手段を含む複数の踏み部と、前記複数の踏み部に対応して、複数の対応画像を前記表示装置に表示する対応画像表示手段と、前記複数の対応画像の少なくとも２つに対応して、少なくとも２つの情報表示部を前記表示装置に表示する情報表示手段と、を備える構成とすることもできる。
【００４３】
この構成によれば、被験者に対して、踏み部によって、１又は複数の情報表示部を選択させることができる。従って、情報表示部に表示する情報の内容によって、被験者に対して出題して、その解答を得ることができる。
【００４４】
この機能計測装置において、前記情報表示手段は、前記複数の情報表示部のうち、１つの前記情報表示部には、他の前記情報表示部に表示する情報の内容と種類の異なる内容の情報を表示する。
【００４５】
この構成によれば、被験者に対して、踏み部によって、種類の異なる内容の情報が表示された情報表示部を選択させることができる。この場合の選択の速さと正確さは、被験者の判断力を判断する目安となる。
【００４６】
また、この機能計測装置において、前記情報表示手段は、前記複数の対応画像のうちの所定の２つの対応画像に対応して、２つの前記情報表示部を前記表示装置に表示し、互いに異なる数値を示す情報を表示することもできる。
【００４７】
この構成によれば、被験者に対して、踏み部によって、値が小さい情報表示部又は値が大きい情報表示部を選択させることができる。この場合の選択の速さと正確さは、被験者の判断力を判断する目安となる。
【００４８】
さらに、この機能計測装置において、前記情報表示手段は、前記複数の対応画像のうちの所定の２つの対応画像に対応して、２つの前記情報表示部を前記表示装置に表示し、互いに異なる数値を示す情報又は互いに等しい数値を示す情報を表示することもできる。
【００４９】
この構成によれば、被験者に対して、踏み部によって、２つの情報表示部の値が同じであること又は値が異なることを回答させることができる。この場合の決定の速さと正確さは、被験者の判断力を判断する目安となる。
【００５０】
本発明の第９の観点によれば、機能計測装置は、表示装置に接続して使用される機能計測装置であって、被験者からの入力としての踏み動作を検知する検知手段と、複数の踏み位置を前記被験者が踏み込むべき順番を前記表示装置にて明示するガイド手段と、を備え、前記順番は任意であり、前記ガイド手段は、前記順番の明示を繰り返し行い、明示回数の増加に従って、前記順番を構成する要素を増加し、前記機能計測装置は、前記ガイド手段による１回の明示の終了後の前記被験者の踏み動作に基づく前記検知手段の検知結果に基づいて、前記被験者が、その明示の終了後に前記ガイド手段の明示に従った踏み動作を行っていないと判定した場合に、前記ガイド手段に対して、前記順番の次の明示を行わないように指示する判定手段をさらに備える。この場合、順番を構成する要素が段々増加するので、被験者は、踏込む順番の記憶が困難になる。従って、被験者がどの段階まで明示通りに踏み動作を行ったかという情報は、被験者の記憶力の判断の目安となる。
【００５１】
ここで、検知手段は、被験者に装着されて、その踏み動作を検知する手段、及び、被験者を撮影して、その踏み動作を検知する手段、を含む概念である。
【００５２】
この機能計測装置は、表示装置に接続して使用される機能計測装置であって、各々が、被験者からの入力としての踏み動作を検知する検知手段を含む複数の踏み部と、前記複数の踏み部を前記被験者が踏み込むべき順番を前記表示装置にて明示するガイド手段と、を備える構成とすることもできる。この場合、前記順番は任意であり、前記ガイド手段は、前記順番の明示を繰り返し行い、明示回数の増加に従って、前記順番を構成する要素を増加し、前記機能計測装置は、前記ガイド手段による１回の明示の終了後の前記被験者の踏み動作に基づく複数の前記検知手段の検知結果に基づいて、前記被験者が、その明示の終了後に前記ガイド手段の明示に従った踏み動作を行っていないと判定した場合に、前記ガイド手段に対して、前記順番の次の明示を行わないように指示する判定手段をさらに備える。
【００５３】
この構成によれば、順番を構成する要素が段々増加するので、被験者は、踏み部を踏込む順番の記憶が困難になる。従って、被験者がどの段階まで明示通りに踏み動作を行ったかという情報は、被験者の記憶力の判断の目安となる。
【００５４】
本発明の第１０の観点によれば、機能計測装置は、表示装置に接続して使用される機能計測装置であって、被験者の全身運動を検知する検知手段と、周期的に運動するオブジェクトを前記表示装置に表示する表示制御手段と、前記検知手段による検知結果と前記オブジェクトの位置とに基づいて、一周期ごとに、成功／失敗判定を行う判定手段と、前記判定手段が成功と判定したときに、計数値をインクリメントする計数手段と、を備える。
【００５５】
この構成によれば、周期的に運動するオブジェクトとの同期を維持しながら、被験者が、どのくらい継続して運動することができるかを知ることができる。
【００５６】
この機能計測装置において、前記判定手段は、前記オブジェクトの一周期の第１区間において、前記被験者の第１所定動作が検知された場合に、前記第１区間に続く第２区間において、前記被験者の第２所定動作が検知されたときに、成功であると判定し、前記第２動作が検知されなかったときに、失敗であると判定する。この構成によれば、簡易に、成功／失敗判定を行うことができる。
【００５７】
上記機能計測装置において、前記オブジェクトの形態は、縄跳びの縄のごとく線状かつ曲線であり、前記周期運動は、縄跳びの縄を回転させているような回転運動である。この構成によれば、被験者は、縄跳びを疑似体験できる。
【００５８】
ここで、検知手段は、被験者に装着されて、その踏み動作を検知する手段、及び、被験者を撮影して、その踏み動作を検知する手段、を含む概念である。
【発明を実施するための最良の形態】
【００５９】
以下、本発明の実施の形態について、図面を参照しながら説明する。なお、図中、同一または相当部分については同一の参照符号を付してその説明を援用する。
【００６０】
図１は、本発明の実施の形態による機能計測システムとしてのマットシステムの全体構成を示すブロック図である。図１に示すように、このマットシステムは、アダプタ１、カートリッジ３、マットユニット７、及びテレビジョンモニタ５を備える。アダプタ１には、カートリッジ３が装着され、また、カートリッジに１４に電源を供給する電源回路を備える。また、アダプタ１は、ＡＶケーブル９により、テレビジョンモニタ５に接続される。従って、アダプタ１及びＡＶケーブル９を介してカートリッジ３が作成したビデオ信号及びオーディオ信号をテレビジョンモニタ５に与えることができる。これにより、テレビジョンモニタ５に、後述の各種画面を表示し、スピーカ（図示せず）から音楽や効果音を出力することができる。
【００６１】
マットユニット７は、マット２及び回路ボックス４により構成される。回路ボックス４は、マット２の一方端部に取り付けられる。回路ボックス４の表面には、電源スイッチ８が設けられ、一方端部には、赤外線のみを透過する赤外線フィルタ６が取り付けられる。赤外線フィルタ６の裏側には、赤外発光ダイオード（図示せず）を含む赤外光（ＩＲ）発光部３０（後述）が配置される。一方、マット２の表面には、４つの踏み領域ＳＴ１，ＳＴ２，ＳＴ３及びＳＴ４が形成される。マット２の内部には、踏み領域ＳＴ１，ＳＴ２，ＳＴ３及びＳＴ４に対応して、フットスイッチＳＷ１，ＳＷ２，ＳＷ３及びＳＷ４が設けられる。踏み領域ＳＴ１，ＳＴ２，ＳＴ３及びＳＴ４が踏まれると、対応するフットスイッチＳＷ１，ＳＷ２，ＳＷ３及びＳＷ４がオンになる。フットスイッチＳＷ１〜ＳＷ４は、例えば、メンブレンスイッチにより構成される。
【００６２】
図２は、図１のマットユニット７、アダプタ１、及びカートリッジ３の電気的構成を示す図である。図２を参照して、マットユニット７は、赤外光（ＩＲ）発光部３０、ＭＣＵ（Ｍｉｃｒｏ  Ｃｏｎｔｒｏｌｅｒ  Ｕｎｉｔ）３２、及びフットスイッチＳＷ１〜ＳＷ４を含む。ＩＲ発光部３０及びＭＣＵ３２は、回路ボックス４に内蔵される。フットスイッチＳＷ１〜ＳＷ４は、マット２の内部に設けられる。ＭＣＵ３２は、フットスイッチＳＷ１〜ＳＷ４のオン／オフ情報を受け、ＩＲ発光部３０を駆動して、赤外線通信により、フットスイッチＳＷ１〜ＳＷ４のオン／オフ情報をアダプタ１のＩＲレシーバ２４へ送信する。
【００６３】
一方、アダプタ１に装着されるカートリッジ３は、プロセッサ２０及び外部メモリ２２（例えば、ＲＯＭ）を含み、また、アダプタ１は、赤外光（ＩＲ）レシーバ２４を含む。マットユニット７のＩＲ発光部３０から送信された赤外線信号、つまり、フットスイッチＳＷ１〜ＳＷ４のオン／オフ情報は、アダプタ１のＩＲレシーバ２４に受信され、カートリッジ３のプロセッサ２０に与えられる。
【００６４】
カートリッジ３のプロセッサ２０には、外部メモリ２２が接続される。外部メモリ２２は、プログラム領域、画像データ領域、および音声データ領域を含む。プログラム領域には、制御プログラム（アプリケーションプログラムを含む。）が格納される。画像データ領域には、テレビジョンモニタ５に表示される各種画面を構成するすべての画像データや、他の必要な画像データが格納されている。音声データ領域には、音楽や効果音のための音声データが格納されている。プロセッサ２０は、プログラム領域の制御プログラムを実行して、画像データ領域の画像データ及び音声データ領域の音声データを読み出し、必要な処理を施して、ビデオ信号及びオーディオ信号を生成する。ビデオ信号及びオーディオ信号は、アダプタ１からＡＶケーブル９を通して、テレビジョンモニタ５に与えられる。これにより、テレビジョンモニタ５に各種画面が表示され、被験者は、その指示に従った動作を行う。そして、プロセッサ２０は、ＩＲレシーバ２４からの、フットスイッチＳＷ１〜ＳＷ４のオン／オフ情報に基づいて、後述の各種画面に対応する各種計測処理を実行する。
【００６５】
プロセッサ２０は、図示しないが、ＣＰＵ（Ｃｅｎｔｒａｌ  Ｐｒｏｃｅｓｓｉｎｇ  Ｕｎｉｔ）、グラフィックスプロセサ、サウンドプロセサおよびＤＭＡコントローラ等の各種機能ブロックを含むとともに、アナログ信号を取り込むときに用いられるＡ／Ｄコンバータ、赤外線信号（フットスイッチＳＷ１〜ＳＷ４のオン／オフ情報）やキー操作信号のような入力デジタル信号を受けかつ出力デジタル信号を外部機器に与える入出力制御回路、及び内部メモリ等を含む。
【００６６】
ＣＰＵは、外部メモリ２２に格納された制御プログラムを実行する。Ａ／Ｄコンバータからのデジタル信号および入出力制御回路からのデジタル信号はＣＰＵに与えられ、ＣＰＵは、制御プログラムに従って、それらの信号に応じて必要な演算を実行する。グラフィックスプロセサは、外部メモリ２２に格納された画像データに対して、ＣＰＵの演算結果によって必要になったグラフィック処理を実行して、テレビジョンモニタ５に表示する画像を表すビデオ信号を生成する。サウンドプロセサは、外部メモリ２２に格納された音声データに対して、ＣＰＵの演算結果によって必要になったサウンド処理を実行して、音楽や効果音を表すオーディオ信号を生成する。内部メモリは、例えば、ＲＡＭにより構成され、ワーキング領域、カウンタ領域、レジスタ領域、テンポラリデータ領域、及び／又はフラグ領域等として利用される。
【００６７】
図３は、図２のプロセッサ２０が実行する処理の流れを示すフローチャートである。図３を参照して、アダプタ１の電源スイッチ（図示せず）がオンされると、プロセッサ２０に電源電圧が供給され、ステップＳ１にて、プロセッサ２０は、システムの初期設定を実行する。ステップＳ３にて、プロセッサ２０は、外部メモリ２２に格納されたアプリケーションプログラムに従った処理を実行する。ステップＳ５にて、プロセッサ２０は、ビデオ同期信号による割り込みが発生するまで待機する。つまり、プロセッサ２０は、ビデオ同期信号による割り込みが発生していない場合は、同じステップＳ５に戻り、ビデオ同期信号による割り込みが発生した場合は、ステップＳ７に進む。例えば、ビデオ同期信号による割り込みは、１／６０秒ごとに発生する。この割り込みに同期して、ステップＳ７及びステップＳ９にて、プロセッサ２０は、テレビジョンモニタ１００に表示する画像を更新すると共に、音声の再生を行う。そして、プロセッサ２０は、ステップＳ３に戻る。
【００６８】
また、プロセッサ２０は、ＩＲレシーバ２４がＩＲ発光部３０から受信した赤外線信号（フットスイッチＳＷ１〜ＳＷ４のオン／オフ情報）を、割り込みが発生したときに取り込む（ステップＳ１１）。
【００６９】
ステップ３の処理を制御するアプリケーションプログラムは、複数のプログラムを含む。この複数のプログラムのうちの１つに、計時処理を行うプログラムがある。この計時処理は、後述の各モードで共通に使用されるため、フローチャートを用いて前もって説明する。
【００７０】
図４は、図３のステップＳ３で実行される処理の１つである計時処理の流れを示すフローチャートである。図４を参照して、ステップＳ２０にて、プロセッサ２０は、カウンタＣを１つインクリメントする。なお、図３のステップＳ１にて、カウンタＣは０に初期化されているものとする。ステップＳ２２にて、プロセッサ２０は、他のプログラムから計時停止指令が出されたか否かを判定し、出されていない場合はステップＳ２０に進んでカウントを続け、出された場合はカウントを終了してステップＳ２４に進む。ステップＳ２４にて、プロセッサ２０は、計時値Ｔに、カウント値Ｃに１／６０秒を乗じた値を代入する。上記のように、ビデオ同期信号による割り込みが、１／６０秒ごとに発生する場合、カウンタＣのインクリメントは、１／６０秒ごとに行われるので、このような計算により、カウント値Ｃを時間に変換できる。以上は、カウントアップについて説明したが、カウントダウンを行う場合は、初期設定で所定値を変数Ｃに予め代入し、ステップＳ２０で、デクリメントを行えばよい。
【００７１】
次に、本実施の形態のマットシステムによる１３の計測モードについて説明する。
【００７２】
［滞空時間計測モード］
【００７３】
図５は、実施の形態による滞空時間計測モードでのレディ画面の例示図である。図６は、実施の形態による滞空時間計測モードでの計測中画面の例示図である。図５に示すように、プロセッサ２０は、テレビジョンモニタ５にレディ画面を表示する。レディ画面は、マット２を模したマットオブジェクト２００を含む。また、マットオブジェクト２００は、マット２の踏み領域ＳＴ１，ＳＴ２，ＳＴ３及びＳＴ４にそれぞれ対応した領域Ａ１，Ａ２，Ａ３及びＡ４を含む。プロセッサ２０は、まず、被験者が乗るべき踏み領域ＳＴ２及びＳＴ３を明示すべく、マット２の踏み領域ＳＴ２及びＳＴ３に対応するマットオブジェクト２００の領域Ａ２及びＡ３を第１の所定色（右上がりの斜線部）、例えば黄色に変化させる。
【００７４】
また、プロセッサ２０は、被験者によってマット２の踏み領域が踏まれて、対応するフットスイッチがオンになると、マットオブジェクト２００の対応する領域を第２の所定色（後述の図９、図１３、図１５、図１６、図２３、図２５、図２７、図３１、図３５、及び図４１の右下がりの斜線部）、例えば青色に変化させる。このため、画面の指示に従って、被験者が、マット２の踏み領域ＳＴ２及びＳＴ３を踏み込み、対応するフットスイッチＳＷ２及びＳＷ３がオンになると、プロセッサ２０は、マットオブジェクト２００の対応する領域Ａ２及びＡ３を第２の所定色に変化させる。
【００７５】
被験者が、マット２の踏み領域ＳＴ２及びＳＴ３に乗ってジャンプすると、フットスイッチＳＷ２及びＳＷ３は、オンからオフへ遷移する。プロセッサ２０は、フットスイッチＳＷ２及びＳＷ３の双方がオフになった時点から計時を開始する。この時から、図６に示すように、プロセッサ２０は、計測中画面の時間表示部７０に、時々刻々と変化する経過時間をリアルタイムで表示する。そして、プロセッサ２０は、フットスイッチＳＷ２及びＳＷ３の少なくとも１つがオンなった時点で計時を終了する。従って、時間表示部７０には、フットスイッチＳＷ２及びＳＷ３の双方がオフになった時点から少なくとも一方がオンになった時までの時間、つまり、被験者の滞空時間が表示される。
【００７６】
以上のようにして、プロセッサ２０は、被験者の滞空時間を計測する。このようにして計測された滞空時間は、特に、被験者の瞬発力（力を急激に発揮する能力）の判断の目安となる。また、計測された滞空時間は、被験者の脚力や集中力を判断する目安ともなる。
【００７７】
被験者が、このような計測を繰り返し行うことにより、瞬発力、脚力、及び集中力といった機能の向上を期待できる。つまり、下肢の筋力の向上に加えて、全身の統合能力を高め、集中力を養うことを期待できる。このように、このマットシステムは、これらの能力の計測を行うだけでなく、その向上に寄与できる。
【００７８】
さて、上記したように、プロセッサ２０は、被験者によってマット２の踏み領域が踏まれて、対応するフットスイッチがオンになると、マットオブジェクト２００の対応する領域（Ａ１〜Ａ４）を第２の所定色に変化させる（踏み位置明示処理）。この踏み位置明示処理は、後述の各モードでも共通に実行される。
【００７９】
図７は、図３のステップＳ３で実行される処理の１つである踏み位置明示処理の流れを示すフローチャートである。ここで、マットオブジェクト２００の各領域（Ａ１〜Ａ４）は、対応するフットスイッチ（ＳＷ１〜ＳＷ４）がオフの場合、白色であるとする。そして、各領域（Ａ１〜Ａ４）は、対応するフットスイッチ（ＳＷ１〜ＳＷ４）がオンの場合、青色になるとする。
【００８０】
図７を参照して、ステップＳ１０００にて、プロセッサ２０は、フットスイッチＳＷ１がオンか否かを判断して、オンの場合ステップＳ１００２に進み、オフの場合ステップＳ１００４に進む。ステップＳ１００２にて、プロセッサ２０は、領域Ａ１の色を青色に設定する。一方、ステップＳ１００４にて、プロセッサ２０は、領域Ａ１の色を白色に設定する。ステップＳ１００２及びＳ１００４の後、ステップＳ１００６にて、プロセッサ２０は、フットスイッチＳＷ２がオンか否かを判断して、オンの場合ステップＳ１００８に進み、オフの場合ステップＳ１０１０に進む。ステップＳ１００８にて、プロセッサ２０は、領域Ａ２の色を青色に設定する。一方、ステップＳ１０１０にて、プロセッサ２０は、領域Ａ２の色を白色に設定する。
【００８１】
ステップＳ１００８及びＳ１０１０の後、ステップＳ１０１２にて、プロセッサ２０は、フットスイッチＳＷ３がオンか否かを判断して、オンの場合ステップＳ１０１４に進み、オフの場合ステップＳ１０１６に進む。ステップＳ１０１４にて、プロセッサ２０は、領域Ａ３の色を青色に設定する。一方、ステップＳ１０１６にて、プロセッサ２０は、領域Ａ３の色を白色に設定する。ステップＳ１０１４及びＳ１０１６の後、ステップＳ１０１８にて、プロセッサ２０は、フットスイッチＳＷ４がオンか否かを判断して、オンの場合ステップＳ１０２０に進み、オフの場合ステップＳ１０２２に進む。ステップＳ１０２０にて、プロセッサ２０は、領域Ａ４の色を青色に設定する。一方、ステップＳ１０２２にて、プロセッサ２０は、領域Ａ４の色を白色に設定する。ステップＳ１０２０及びＳ１０２２の後、処理は、図３のルーチンにリターンする。
【００８２】
図３に戻って、ステップＳ７にて、プロセッサ２０は、マットオブジェクト２００の各領域Ａ１〜Ａ４を、図７の処理で設定された色で表示する。
【００８３】
次に、滞空時間計測処理をフローチャートを用いて説明する。滞空時間計測処理は、実際には、図３のアプリケーションプログラムにより実行される。このため、ビデオ同期信号による割り込みに同期して、各種処理が行われ、表示画像が更新される（ステップＳ７）。しかし、下記のフローチャートでは、理解の容易のため、被験者から見たときのプロセッサ２０の処理を記載する。従って、画面の更新が時系列（直列的）に記載される。この点、後述する各種のフローチャートについても同じである。
【００８４】
図８は、図２のプロセッサ２０が実行する滞空時間計測処理の流れを示すフローチャートである。図８を参照して、ステップＳ３０にて、プロセッサ２０は、この処理で使用する変数やフラグを初期化する。ステップＳ３２にて、プロセッサ２０は、図５のレディ画面を表示する。ステップＳ３４にて、プロセッサ２０は、フットスイッチＳＷ２及びＳＷ３の双方について、オフからオンへの遷移が発生したか否かをチェックする。そして、プロセッサ２０は、ＮＯならばステップＳ３４に戻り、ＹＥＳならばステップＳ３６に進む。ステップＳ３６にて、プロセッサ２０は、計測開始画面（図示せず）を表示する。この画面には、ジャンプすることを被験者に指示する文字が含まれる。
【００８５】
ステップＳ３８にて、プロセッサ２０は、フットスイッチＳＷ２及びＳＷ３の双方について、オンからオフへの遷移が発生したか否かをチェックする。そして、プロセッサ２０は、ＮＯならばステップＳ３８に戻り、ＹＥＳならばステップＳ４０に進む。ＹＥＳは、被験者の両足がマット２から離れたこと、つまり、被験者がジャンプしたことを意味する。従って、プロセッサ２０は、ステップＳ４０にて、計時（カウントアップ）を開始し、同時に、ステップＳ４２にて、時間表示部７０に計時値Ｔをリアルタイムで表示することを開始する。
【００８６】
ステップＳ４４にて、プロセッサ２０は、フットスイッチＳＷ２及びＳＷ３の一方又は双方がオンしたか否かを判断する。プロセッサ２０は、ＮＯの場合ステップＳ５０に進み、ＹＥＳの場合ステップＳ４６に進む。プロセッサ２０は、ステップＳ４６にて、計時を停止し、続くステップＳ４８にて、計時値Ｔを含む結果画面を表示する。この計時値Ｔが被験者の滞空時間に相当する。
【００８７】
一方、ステップＳ５０では、プロセッサ２０は、計時を開始してから５秒が経過したか否かを判断する。そして、プロセッサ２０は、ＮＯならばステップＳ４４に戻り、ＹＥＳならばステップＳ５２に進む。プロセッサ２０は、ステップＳ５２にて、計時を終了し、ステップＳ５４にて、エラー表示をして、ステップＳ３０に戻る。このように、計時開始後、５秒以内に、フットスイッチＳＷ２及びＳＷ３の一方又は双方がオンしない場合は、エラーと判断する。
【００８８】
［滞空率計測モード］
【００８９】
図９は、実施の形態による滞空率計測モードでの計測中画面の例示図である。図１０は、実施の形態による滞空率計測モードでの計測結果画面の例示図である。
【００９０】
まず、プロセッサ２０は、図５と同じレディ画面（タイトル等の表示文字列は本モードに合わせたもの）をテレビジョンモニタ５に表示する。そして、被験者がマット２の踏み領域ＳＴ２及びＳＴ３にのって、そこでジャンプを行い、フットスイッチＳＷ２及びＳＷ３の双方がオフになった時点から、プロセッサ２０は、図９の計測中画面をテレビジョンモニタ５に表示する。被験者は、踏み領域ＳＴ２及びＳＴ３上で、ジャンプを所定回数行う。本実施の形態では、この所定回数は１０回である。ただし、１回目のジャンプは計測されないため、被験者は、計１１回のジャンプを行う。
【００９１】
プロセッサ２０は、フットスイッチＳＷ２及びＳＷ３の双方がオフになった時点から少なくとも一方がオンになった時までの時間を滞空時間とする。この点、滞空時間計測モードと同じである。一方、プロセッサ２０は、フットスイッチＳＷ２及びＳＷ３の少なくとも一方がオンになった時点から双方がオフになった時までの時間を接地時間とする。接地状態とそれに続く滞空状態が１回のジャンプであるとする。従って、プロセッサ２０は、１回目のジャンプ（計測されないジャンプ）による滞空状態の終了時点、つまり、２回目のジャンプ（計測される最初のジャンプ）の開始時点から、接地時間及び滞空時間の計測を開始する。滞空状態の終了時点とは、フットスイッチＳＷ２及びＳＷ３の双方がオフの状態から少なくとも一方がオンになった時点である。
【００９２】
プロセッサ２０は、滞空／接地時間表示部７２の軸８０上に、計測した接地時間に応じた長さのバー７６（右下がりの斜線部）をリアルタイムで表示（例えば赤）すると共に、計測した滞空時間に応じた長さのバー７４（右上がりの斜線部）をリアルタイムで表示（例えば青）する。軸８０の２目盛りが１回のジャンプを表す。１目盛りは接地、続く１目盛りは滞空である。なお、バー７６は、軸８０を基準に下方向に延び、バー７４は、軸８０を基準に上方向に延びる。さらに、プロセッサ２０は、現在の被験者の状態を示すため、軸８０上にカーソル７８（黒色部分）を表示する。図の例では、６回目のジャンプ、つまり、５回目の計測対象のジャンプが終了したことを示している。
【００９３】
プロセッサ２０は、計測対象の１０回のジャンプの終了を検知すると、つまり、フットスイッチＳＷ２及びＳＷ３の双方がオフの状態から少なくとも一方がオンになったことを１０回検知すると、図１０に示すように、計測結果画面の滞空／接地平均時間表示部８２に、平均滞空時間及び平均接地時間を表示すると共に、滞空率表示部８４に滞空率を表示する。プロセッサ２０が算出する平均滞空時間は、計測した１０回の滞空時間の平均値である。プロセッサ２０が算出する平均接地時間は、計測した１０回の接地時間の平均値である。滞空率＝平均滞空時間／（平均滞空時間＋平均接地時間）、である。「／」は除算を意味する。
【００９４】
以上のようにして、プロセッサ２０は、被験者の滞空率を計測する。このようにして計測された滞空率は、特に、被験者の反応筋力、つまり、短い接地時間で効率良く筋肉や腱のバネを引き出す力の判断の目安となる。また、計測された滞空率は、反射神経、脚力、リズム感、及び集中力を判断する目安ともなる。
【００９５】
被験者が、このような計測を繰り返し行うことにより、反応筋力、反射神経、脚力、リズム感、及び集中力といった機能の向上を期待できる。つまり、筋肉の反応性を高めて、瞬発力を高めると同時に、運動制御能力も高めて、連続的な運動能力を向上させることや、日常生活での安定した集中力を養うことを期待できる。このように、このマットシステムは、これらの能力の計測を行うだけでなく、その向上に寄与できる。
【００９６】
次に、滞空率計測処理をフローチャートを用いて説明する。
【００９７】
図１１及び図１２は、それぞれ、図２のプロセッサ２０が実行する滞空率計測処理の前半部及び後半部の流れを示すフローチャートである。図１１を参照して、ステップＳ７０にて、プロセッサ２０は、この処理で使用する変数やフラグを初期化する。ステップＳ７２にて、プロセッサ２０は、レディ画面を表示する。ステップＳ７４にて、プロセッサ２０は、フットスイッチＳＷ２及びＳＷ３の双方について、オフからオンへの遷移が発生したか否かをチェックする。そして、プロセッサ２０は、ＮＯならばステップＳ７４に戻り、ＹＥＳならばステップＳ７６に進む。ステップＳ７６にて、プロセッサ２０は、計測開始画面（図示せず）を表示する。この画面には、連続してジャンプすることを被験者に指示する文字が含まれる。
【００９８】
ステップＳ７８にて、プロセッサ２０は、フットスイッチＳＷ２及びＳＷ３の双方について、オンからオフへの遷移が発生したか否かをチェックする。そして、プロセッサ２０は、ＮＯならばステップＳ７８に戻り、ＹＥＳならばステップＳ７９に進む。ＹＥＳは、被験者の両足がマット２から離れたこと、つまり、被験者がジャンプしたことを意味する。これは、滞空率の計測対象にならない１回目のジャンプに相当する。そして、プロセッサ２０は、ステップＳ７９にて、図９の計測中画面を表示し、同時に、ステップＳ８０にて、滞空時間の計数を開始する。
【００９９】
ステップＳ８２にて、プロセッサ２０は、フットスイッチＳＷ２及びＳＷ３の一方又は双方がオンしたか否かを判断する。プロセッサ２０は、ＮＯの場合ステップＳ８６に進み、ＹＥＳの場合ステップＳ８４に進む。プロセッサ２０は、ステップＳ８４にて、滞空時間の計数を停止し、計数値Ｔをクリアして、図１２のステップＳ９４に進む。
【０１００】
一方、ステップＳ８６では、プロセッサ２０は、計時を開始してから５秒が経過したか否かを判断する。そして、プロセッサ２０は、ＮＯならばステップＳ８２に戻り、ＹＥＳならばステップＳ８８に進む。プロセッサ２０は、ステップＳ８８にて、計時を終了し、ステップＳ９０にて、エラー表示をして、ステップＳ７０に戻る。このように、計時開始後、５秒以内に、フットスイッチＳＷ２及びＳＷ３の一方又は双方がオンしない場合は、エラーと判断する。
【０１０１】
図１２を参照して、ステップＳ９４にて、プロセッサ２０は、接地時間の計数を開始する。ステップＳ９６にて、プロセッサ２０は、フットスイッチＳＷ２及びＳＷ３の双方について、オンからオフへの遷移が発生したか否かをチェックする。そして、プロセッサ２０は、ＮＯならばステップＳ１１８へ進み、ＹＥＳならばステップＳ９８に進む。ＹＥＳは、被験者の両足がマット２から離れたこと、つまり、被験者がジャンプしたことを意味する。
【０１０２】
ステップＳ９８では、プロセッサ２０は、接地時間の計数を停止し、計数値Ｔを格納後、計数値Ｔをクリアして、ステップＳ１００に進む。ステップＳ１００にて、プロセッサ２０は、ステップＳ９８で格納した接地時間に応じた長さのバー７６を接地時間表示部７２に表示する。バー７６は、後述のジャンプカウンタＣＪの値を横軸にして表示される。
【０１０３】
一方、ステップＳ１１８では、プロセッサ２０は、接地時間の計数を開始してから４秒が経過したか否かを判断する。そして、プロセッサ２０は、ＮＯならばステップＳ９６に戻り、ＹＥＳならばステップＳ１２０に進む。プロセッサ２０は、ステップＳ１２０にて、計時を終了し、ステップＳ１２２にて、エラー表示をして、ステップＳ７０に戻る。このように、計時開始後、４秒以内に、フットスイッチＳＷ２及びＳＷ３の双方がオフしない場合は、エラーと判断する。
【０１０４】
ステップＳ１００の後、ステップＳ１０２では、プロセッサ２０は、滞空時間の計数を開始する。ステップＳ１０４にて、プロセッサ２０は、フットスイッチＳＷ２及びＳＷ３の一方又は双方がオンしたか否かを判断する。プロセッサ２０は、ＮＯの場合ステップＳ１２４に進み、ＹＥＳの場合ステップＳ１０６に進む。プロセッサ２０は、ステップＳ１０６にて、滞空時間の計数を停止し、計数値Ｔを格納後、計時値Ｔクリアして、ステップＳ１０８に進む。ステップＳ１０８にて、プロセッサ２０は、ステップＳ１０６で格納した滞空時間に応じた長さのバー７４を接地時間表示部７２に表示する。バー７４は、後述のジャンプカウンタＣＪの値を横軸にして表示される。
【０１０５】
ステップＳ９６及びＳ１０４で、ＹＥＳが判定されると、１回のジャンプが終了したと判断され、ステップＳ１０９にて、プロセッサ２０は、ジャンプ回数を示すジャンプカウンタＣＪを１つインクリメントする。ステップＳ１１０にて、プロセッサ２０は、ＣＪが１０と等しいか否かを判断し、ＮＯの場合ステップＳ９４に戻り、ＹＥＳの場合ステップＳ１１２に進む。
【０１０６】
一方、ステップＳ１２４では、プロセッサ２０は、滞空時間の計数を開始してから５秒が経過したか否かを判断する。そして、プロセッサ２０は、ＮＯならばステップＳ１０４に戻り、ＹＥＳならばステップＳ１２６に進む。プロセッサ２０は、ステップＳ１２６にて、計時を終了し、ステップＳ１２８にて、エラー表示をして、ステップＳ７０に戻る。理由は、ステップＳ８６〜Ｓ９０と同じである。
【０１０７】
ステップＳ１１０でＹＥＳが判断された後、ステップＳ１１２にて、プロセッサ２０は、ステップＳ９８で格納した接地時間の平均、つまり、平均接地時間を求めると共に、ステップＳ１０６で格納した滞空時間の平均、つまり、平均滞空時間を求める。ステップＳ１１４にて、プロセッサ２０は、ステップＳ１１２で求めた平均滞空時間と平均接地時間とから、滞空率を算出する。そして、ステップＳ１１６にて、プロセッサ２０は、図１０の結果画面を表示する。
【０１０８】
［敏捷性計測モード］
【０１０９】
このモードでは、被験者は、椅子をマット２の中央手前に置く。そして、被験者は、手を横に下げた状態で浅めに腰掛ける。一方、プロセッサ２０は、図５と同じレディ画面（タイトル等の表示文字列は本モードに合わせたもの）をテレビジョンモニタ５に表示する。そして、被験者は、腰掛けたまま、マット２の踏み領域ＳＴ２及びＳＴ３上で所定歩数（本実施の形態では５０歩）の足踏みを行う。すると、フットスイッチＳＷ２とＳＷ３とが交互にオン／オフを繰り返す。
【０１１０】
プロセッサ２０は、１つのフットスイッチのオフからオンへの遷移を一歩とする。ただし、プロセッサ２０は、フットスイッチＳＷ２がオフからオンへ遷移して一歩と判断したときは、フットスイッチＳＷ３がオフからオンへ遷移したときに次の一歩と判断する。逆に、プロセッサ２０は、フットスイッチＳＷ３がオフからオンへ遷移して一歩と判断したときは、フットスイッチＳＷ２がオフからオンへ遷移したときに次の一歩と判断する。つまり、オフからオンへの遷移が、同じフットスイッチで連続して発生しても、最初のオフからオンへの遷移のみが一歩と判断される。
【０１１１】
図１３は、実施の形態による敏捷性計測モードでの計測中画面の例示図である。被験者が腰掛けたまま踏み領域ＳＴ２及びＳＴ３上で足踏みを開始すると、プロセッサ２０は、図１３の計測中画面をテレビジョンモニタ５に表示する。この計測中画面は、残り歩数表示部８６及び経過時間表示部８８を含む。プロセッサ２０は、残り歩数表示部８６に、被験者が行うべき残りの歩数、つまり、（５０−現在の歩数）をリアルタイムで表示する。また、プロセッサ２０は、１歩目を検知した時点から計時を開始し、経過時間を経過時間表示部８８に表示する。そして、プロセッサ２０は、５０歩目が終了した時点で計時を終了する。これにより、最終的には、経過時間表示部８８に、被験者が５０歩の足踏みを行うのに要した時間が表示されることになる。
【０１１２】
以上のようにして、プロセッサ２０は、被験者が５０歩に要した時間を計測する。被験者は、できるだけ速く足踏みを行うことを試みるので、このようにして計測された時間は、特に、被験者の敏捷性（素早く動作を行う能力）の判断の目安となる。また、計測された時間は、瞬発力及び反射神経を判断する目安ともなる。
【０１１３】
被験者が、このような計測を繰り返し行うことにより、敏捷性、瞬発力、及び反射神経といった機能の向上を期待できる。つまり、両足の敏捷性と協調性とが養われて、反射神経が養われると同時に、日常の集中力の向上を期待できる。このように、このマットシステムは、これらの能力の計測を行うだけでなく、その向上に寄与できる。
【０１１４】
次に、敏捷性計測処理をフローチャートを用いて説明する。
【０１１５】
図１４は、図２のプロセッサ２０が実行する敏捷性計測処理の流れを示すフローチャートである。図１４を参照して、ステップＳ１４０にて、プロセッサ２０は、この処理で使用する変数やフラグを初期化する。ステップＳ１４２にて、プロセッサ２０は、レディ画面を表示する。ステップＳ１４４にて、プロセッサ２０は、フットスイッチＳＷ２及びＳＷ３の双方について、オフからオンへの遷移が発生したか否かをチェックする。そして、プロセッサ２０は、ＮＯならばステップＳ１４４に戻り、ＹＥＳならばステップＳ１４６に進む。ステップＳ１４６にて、プロセッサ２０は、カウントダウンを開始すると共に、カウントダウンの進行を示す計測開始画面（図示せず）を表示する。ステップＳ１４８にて、プロセッサ２０は、カウント値が０か否かを判断し、０でない場合はステップＳ１４８に戻り、０の場合ステップＳ１５０に進む。
【０１１６】
プロセッサ２０は、ステップＳ１５０にて、計時を開始すると共に、ステップＳ１５２にて、経過時間表示部８８に計時値Ｔをリアルタイムで表示することを開始する。ステップＳ１５４にて、プロセッサ２０は、計時開始後３０秒経過したか否かを判断し、ＹＥＳの場合ステップＳ１７８に進み、ＮＯの場合ステップＳ１５６に進む。
【０１１７】
ステップＳ１５６にて、プロセッサ２０は、フットスイッチＳＷ２のオフからオンへの遷移が発生したか否かをチェックする。そして、プロセッサ２０は、ＮＯならばステップＳ１５４に戻り、ＹＥＳならばステップＳ１５８に進む。ＹＥＳは、被験者がマット２の踏み領域ＳＴ２から左足を上げて踏み領域ＳＴ２に下ろしたことを意味する。従って、ステップＳ１５８にて、プロセッサ２０は、被験者のステップ数を計数するカウンタＣＳを１つインクリメントする。ステップＳ１６０にて、プロセッサ２０は、残り歩数ＲＳ、つまり、５０−ＣＳを計算する。そして、ステップＳ１６２にて、プロセッサ２０は、残り歩数ＲＳを残り歩数表示部８６に表示する。
【０１１８】
ステップＳ１６４にて、プロセッサ２０は、ステップＳ１５０の計時開始後３０秒経過したか否かを判断し、ＹＥＳの場合ステップＳ１８２に進み、ＮＯの場合ステップＳ１６６に進む。
【０１１９】
ステップＳ１６６にて、プロセッサ２０は、フットスイッチＳＷ３のオフからオンへの遷移が発生したか否かをチェックする。そして、プロセッサ２０は、ＮＯならばステップＳ１６４に戻り、ＹＥＳならばステップＳ１６８に進む。ＹＥＳは、被験者がマット２の踏み領域ＳＴ３から右足を上げて踏み領域ＳＴ３に下ろしたことを意味する。従って、ステップＳ１６８にて、プロセッサ２０は、カウンタＣＳを１つインクリメントする。ステップＳ１７０にて、プロセッサ２０は、残り歩数ＲＳ、つまり、５０−ＣＳを計算する。そして、ステップＳ１７２にて、プロセッサ２０は、残り歩数ＲＳを残り歩数表示部８６に表示する。
【０１２０】
ステップＳ１７４にて、プロセッサ２０は、残り歩数ＲＳが０か否かを判断して、０の場合ステップＳ１７６に進み、０でない場合ステップＳ１５４に戻る。プロセッサ２０は、ステップＳ１７６にて、計時を停止し、ステップＳ１７８にて、最終の計時値Ｔを含む結果画面を表示する。
【０１２１】
ステップＳ１５４でＹＥＳが判断された後、ステップＳ１７８では、プロセッサ２０は、計時を終了し、ステップＳ１８０にて、エラー表示をして、ステップＳ１４０に戻る。また、ステップＳ１６４でＹＥＳが判断された後、ステップＳ１８２では、プロセッサ２０は、計時を終了し、ステップＳ１８４にて、エラー表示をして、ステップＳ１４０に戻る。これらステップＳ１５４，Ｓ１７８，Ｓ１８０，Ｓ１６４，Ｓ１８２，及びＳ１８４の処理は、ステップＳ１５０の計時開始後、３０秒以内に、被験者が５０歩を完了しない場合は、エラーと判断するためのものである。
【０１２２】
［リズム感計測モード］
【０１２３】
図１５は、実施の形態によるリズム感計測モードでのリズムガイド画面の例示図である。図１６は、実施の形態によるリズム感計測モードでの計測中画面の例示図である。図１７は、実施の形態によるリズム感計測モードでの計測結果画面の例示図である。
【０１２４】
まず、プロセッサ２０は、図５と同じレディ画面（タイトル等の表示文字列は本モードに合わせたもの）をテレビジョンモニタ５に表示する。そして、被験者は、マット２の踏み領域ＳＴ２及びＳＴ３の上に乗る。プロセッサ２０は、開始の合図を表示してから、図１５に示すように、リズムガイド画面を表示する。つまり、プロセッサ２０は、マットオブジェクト２００の領域Ａ２の直上と領域Ａ３の直上とに交互に、かつ、所定時間間隔Ｔｇで、ガイドオブジェクト９０を表示する。加えて、プロセッサ２０は、ガイドオブジェクト９０の表示と同時に所定の音（ガイド音）を出力する。つまり、プロセッサ２０は、メトロノームのごとく、所定時間間隔Ｔｇで、ガイド音を出力する。被験者は、交互に表示されるガイドオブジェクト９０及びガイド音に従って足踏みを行いながら、行うべき足踏みのリズム（テンポ）を把握する。また、プロセッサ２０は、ガイドオブジェクト９０の表示開始時からの経過時間を色の変化（斜線部）で示す経過時間ゲージ１０５を表示する。経過時間ゲージ１０５の全長は、ガイドオブジェクト９０によるガイドが行われる期間を示す。
【０１２５】
プロセッサ２０は、左右のガイドオブジェクト９０の合計表示回数が所定回数になると、ガイドオブジェクト９０の表示を終了し、かつ、ガイド音の出力も終了して、図１６の計測中画面を表示する。この計測中画面には、ガイドオブジェクト９０は表示されず、ガイド音も出力されない。従って、このような状態の下で、被験者は、リズムガイド画面で把握したリズム（テンポ）で足踏みを引き続き行う。本実施の形態では、ガイドオブジェクト９０の表示終了後、２０歩の足踏みを被験者に行わせる。一歩の判断は、敏捷性計測モードの場合と同じである。プロセッサ２０は、残り歩数表示部９２に、被験者が行うべき残りの歩数、つまり、（２０−現在の歩数）をリアルタイムで表示する。
【０１２６】
この計測中画面の表示中において、プロセッサ２０は、ガイドオブジェクト９０及びガイド音が示した所定時間間隔Ｔｇで被験者が足踏みを行っているか否かを判断する処理を実行する。具体的には次の通りである。
【０１２７】
プロセッサ２０は、一歩の検知から次の一歩の検知までの時間（以下、「ステップ間隔」と呼ぶ。）Ｔｓを計測する。つまり、プロセッサ２０は、フットスイッチＳＷ２及びＳＷ３のうちの一方のオフからオンへの遷移を検知した時から、他方のオフからオンへの遷移を検知した時までの時間であるステップ間隔Ｔｓを計測する。なお、プロセッサ２０は、最後のガイドオブジェクト９０の表示を終了した後、最初の一歩を検知した時から計測を開始する。つまり、その一歩は第０歩目とし、次の一歩を第一歩目とし、その間の時間を第一歩目のステップ間隔Ｔｓとする。
【０１２８】
プロセッサ２０は、ステップ間隔Ｔｓの計測処理を、一歩を検知するたびに行って、内部メモリに結果を格納し、２０歩分のデータを取得する。そして、プロセッサ２０は、差分Ｄ＝Ｔｇ−Ｔｓを計算する。つまり、プロセッサ２０は、リズムガイド画面で指示した所定時間間隔Ｔｇに対して、それぞれのステップ間隔Ｔｓがどれ位ずれているかを計算する。そして、プロセッサ２０は、図１７に示すように、その結果をテレビジョンモニタ５に表示する。具体的には、プロセッサ２０は、この計測結果画面の差分表示部９６の軸９５上に差分Ｄをバー９８及び１００で表示する。つまり、プロセッサ２０は、差分Ｄが正の場合は、軸９５から上に延びる、差分Ｄの絶対値に応じた長さのバー９８（右上がりの斜線部）をリアルタイムで表示（例えば赤）し、差分Ｄが負の場合は、軸９５から下に延びる、差分Ｄの絶対値に応じた長さのバー１００（右下がりの斜線部）をリアルタイムで表示（例えば青）する。なお、差分Ｄが０のときは、これらのバー９８及び１００は表示されない。軸９５の１目盛りが一歩を表す。
【０１２９】
さらに、プロセッサ２０は、リズム感表示部９４に、リズム感を数値で表示する。この数値は、全差分Ｄの絶対値の合計に基づいて算出される。例えば、一定時間ｘを１ポイントとし、５ポイントを超えたときは５ポイントにクリッピングする。そして、差分Ｄの絶対値の合計をこのポイント数で表し、それを１００から差し引く。その結果を、リズム感を示す数値とする。つまり、２０歩全てにおいて差分Ｄが０のときに１００点とし、２０歩全てにおいて差分Ｄが５ポイントに相当するときに０点とする。この場合、バー９８及び１００の長さは、このポイント数に応じた長さで表示することが好ましい。
【０１３０】
以上のようにして、プロセッサ２０は、被験者のステップ間隔Ｔｓを計測して、差分Ｄを算出する。差分Ｄの大きさは、指示されたリズム（つまり、所定時間間隔Ｔｇ）で、被験者が足踏みを行うことができたか否かを示す指標になる。従って、差分Ｄ及びそれに基づく数値は、特に、被験者のリズム感（規則的な運動を続けるための感覚：等時性）を判断する目安となる。また、差分Ｄ及びそれに基づく数値は、巧緻性、記憶力、及び集中力を判断する目安ともなる。
【０１３１】
被験者が、このような計測を繰り返し行うことにより、リズム感、巧緻性、記憶力、及び集中力といった機能の向上を期待できる。つまり、左右のバランスとリズム感が養われ、同時に、位置感覚や運動制御能力も向上し、神経機能の安定化を期待できる。このように、このマットシステムは、これらの能力の計測を行うだけでなく、その向上に寄与できる。
【０１３２】
図１８及び図１９は、それぞれ、図２のプロセッサ２０が実行するリズム感計測処理の前半部及び後半部の流れを示すフローチャートである。図２０は、図２のプロセッサ２０が実行するステップ間隔測定処理の流れを示すフローチャートである。
【０１３３】
図１８を参照して、ステップＳ２００にて、プロセッサ２０は、この処理で使用する変数やフラグを初期化する。ステップＳ２０２にて、プロセッサ２０は、レディ画面を表示する。ステップＳ２０４にて、プロセッサ２０は、フットスイッチＳＷ２及びＳＷ３の双方について、オフからオンへの遷移が発生したか否かをチェックする。そして、プロセッサ２０は、ＮＯならばステップＳ２０４に戻り、ＹＥＳならばステップＳ２０６に進む。ステップＳ２０６にて、プロセッサ２０は、カウントダウンを開始すると共に、カウントダウンの進行を示す計測開始画面（図示せず）を表示する。ステップＳ２０８にて、プロセッサ２０は、カウント値が０か否かを判断し、０でない場合はステップＳ２０８に戻り、０の場合ステップＳ２１０に進む。
【０１３４】
プロセッサ２０は、ステップＳ２１０にて、経過時間ゲージ１０５の進行を開始する。ステップＳ２１２にて、プロセッサ２０は、左（領域Ａ２の直上）のガイドオブジェクト９０を表示すると共に、ガイド音をワンショット再生する。これと同時に、ステップＳ２１４にて、プロセッサ２０は、計時（Ｔ１）を開始する。ステップＳ２１６にて、プロセッサ２０は、計時値Ｔ１が、所定時間間隔Ｔｇに等しいか否かを判断し、ＮＯの場合ステップＳ２１６に戻り、ＹＥＳの場合ステップＳ２１８に進む。プロセッサ２０は、ステップＳ２１８にて、表示中の左のガイドオブジェクト９０を消去し、ステップＳ２２０にて、計時値Ｔ１をクリアし、さらに、ステップＳ２２２にて、ガイドオブジェクト９０の表示回数を示すカウンタＣＧを１つインクリメントする。
【０１３５】
ステップＳ２２４にて、プロセッサ２０は、右（領域Ａ３の直上）のガイドオブジェクト９０を表示すると共に、ガイド音をワンショット再生する。これと同時に、ステップＳ２２６にて、プロセッサ２０は、計時（Ｔ１）を開始する。ステップＳ２２８にて、プロセッサ２０は、計時値Ｔ１が、所定時間間隔Ｔｇに等しいか否かを判断し、ＮＯの場合ステップＳ２２８に戻り、ＹＥＳの場合ステップＳ２３０に進む。プロセッサ２０は、ステップＳ２３０にて、表示中の右のガイドオブジェクト９０を消去し、ステップＳ２３２にて、計時値Ｔ１をクリアし、さらに、ステップＳ２３４にて、カウンタＣＧを１つインクリメントする。
【０１３６】
ステップＳ２３６にて、プロセッサ２０は、カウンタＣＧが２０か否かを判断し、ＮＯの場合ステップＳ２１２に戻り、ＹＥＳの場合図１９のステップＳ２３８に進む。これにより、合計２０個のガイドオブジェクト９０が左右交互に表示される。
【０１３７】
図１９を参照して、ステップＳ２３８にて、プロセッサ２０は、図１６の計測中画面を表示する。ステップＳ２４０にて、プロセッサ２０は、被験者のステップ数を示すカウンタＣＵ（図２０参照）をリセットする。ステップＳ２４２にて、プロセッサ２０は、計時値Ｔ２（図２０参照）が３秒以上か否かを判断し、ＹＥＳの場合ステップＳ２４４に進み、ＮＯの場合ステップＳ２４６に進む。
【０１３８】
ステップＳ２４２でＹＥＳが判断された後のステップＳ２４４では、プロセッサ２０は、エラー表示をして、ステップＳ２００に戻る。これは、計時値Ｔ２が被験者のステップ間隔を示すものであるため、ガイド画面表示中の被験者の最後のステップから３秒以上が経過したときには、エラーであると判断するための処理である。
【０１３９】
一方、ステップＳ２４２でＮＯが判断された後のステップＳ２４６では、プロセッサ２０は、カウンタＣＵの値に変化があったか否かを判断し、ＮＯの場合ステップＳ２４２に戻り、ＹＥＳの場合ステップＳ２４８に進む。カウンタＣＵの値に変化があったということは、新たな踏み込みが発生したことを意味する。従って、ステップＳ２４８では、プロセッサ２０は、残り歩数ＲＳ、つまり、２０−ＣＵを計算する。そして、ステップＳ２５０にて、プロセッサ２０は、残り歩数ＲＳを残り歩数表示部９２に表示する。
【０１４０】
ステップＳ２５２にて、配列の要素Ｔｓ［Ｋ］に被験者のステップ間隔Ｔｐ（図２０参照）を格納する。つまり、要素Ｔｓ［Ｋ］は、（Ｋ＋１）歩目のステップ間隔Ｔｐを格納する。ステップＳ２５４にて、プロセッサ２０は、変数Ｋを１つインクリメントする。ステップＳ２５６にて、プロセッサ２０は、残り歩数ＲＳが０になったか否かを判断し、ＮＯの場合ステップＳ２４２に戻り、ＹＥＳの場合ステップＳ２５８に進む。
【０１４１】
ステップＳ２５８にて、プロセッサ２０は、変数Ｋに０を代入する。ステップＳ２６０にて、プロセッサ２０は、ガイドオブジェクト９０の表示のための所定間隔Ｔｇと被験者のステップ間隔Ｔｓ［Ｋ］との差を求めて、配列の要素Ｄ［Ｋ］に格納する。つまり、要素Ｄ［Ｋ］は、（Ｋ＋１）歩目の、所定間隔Ｔｇとステップ間隔Ｔｐとの差を格納する。ステップＳ２６２にて、プロセッサ２０は、変数Ｋをインクリメントする。ステップＳ２６４にて、プロセッサ２０は、変数Ｋが１９か否かを判断し、ＮＯの場合ステップＳ２６０に進み、ＹＥＳの場合ステップＳ２６６に進む。これにより、２０歩分の、所定間隔Ｔｇとステップ間隔Ｔｐとの差が配列の要素Ｄ［Ｋ］として格納される。
【０１４２】
ステップＳ２６６にて、プロセッサ２０は、配列の要素Ｄ［０］〜Ｄ［１９］の符号及び絶対値に基づいて、それぞれに対して、差分表示部９６に表示するためのバー（９８又は１００）の選択及び配置を決定する。ステップＳ２６８にて、プロセッサ２０は、上記した手法で、要素Ｄ［０］〜Ｄ［１９］の絶対値に基づいて、リズム感表示部９４に表示するためのリズム感を算出する。そして、ステップＳ２７０にて、図１７の結果画面を表示する。
【０１４３】
次に、被験者のステップ間隔の測定処理を説明する。
【０１４４】
図２０は、図２のプロセッサ２０が実行するステップ間隔測定処理の流れを示すフローチャートである。図２０を参照して、ステップＳ２８０にて、プロセッサ２０は、この処理で使用する変数やフラグを初期化する。そして、ステップＳ２８１にて、プロセッサ２０は、図１８のステップＳ２０６で開始したカウント値が０か否かを判断し、０でない場合はステップＳ２８１に戻り、０の場合ステップＳ２８２に進む。
【０１４５】
ステップＳ２８２にて、プロセッサ２０は、フットスイッチＳＷ２及びＳＷ３の一方について、オフからオンへの遷移が発生したか否かをチェックする。そして、プロセッサ２０は、ＮＯの場合ステップＳ２８２に戻り、ＹＥＳの場合ステップＳ２８４に進む。
【０１４６】
ステップＳ２８４にて、プロセッサ２０は、被験者のステップ間隔Ｔｐを計時するための計時値Ｔ２をクリアする。ステップＳ２８６にて、プロセッサ２０は、計時（Ｔ２）を開始する。ステップＳ２８８にて、プロセッサ２０は、フットスイッチＳＷ２及びＳＷ３の他方について、オフからオンへの遷移が発生したか否かをチェックする。そして、プロセッサ２０は、ＮＯの場合ステップＳ２８８に戻り、ＹＥＳの場合ステップＳ２９０に進む。ステップＳ２９０にて、プロセッサ２０は、被験者のステップ数を計数するカウンタＣＵを１つインクリメントする。ステップＳ２９２にて、プロセッサ２０は、変数Ｔｐに、計時値Ｔ２を代入する。従って、変数Ｔｐには、フットスイッチＳＷ２及びＳＷ３の一方がオフからオンへ遷移した時から他方がオフからオンへ遷移した時までの時間、つまり、一方の足での一歩の時間が格納される。
【０１４７】
ステップＳ２９４にて、プロセッサ２０は、計時値Ｔ２をクリアする。ステップＳ２９６にて、プロセッサ２０は、計時（Ｔ２）を開始する。ステップＳ２９８にて、プロセッサ２０は、フットスイッチＳＷ２及びＳＷ３の上記一方について、オフからオンへの遷移が発生したか否かをチェックする。そして、プロセッサ２０は、ＮＯの場合ステップＳ２９８に戻り、ＹＥＳの場合ステップＳ３００に進む。ステップＳ３００にて、プロセッサ２０は、カウンタＣＵを１つインクリメントする。ステップＳ３０２にて、プロセッサ２０は、変数Ｔｐに、計時値Ｔ２を代入する。従って、変数Ｔｐには、フットスイッチＳＷ２及びＳＷ３の上記他方がオフからオンへ遷移した時から一方がオフからオンへ遷移した時までの時間、つまり、他方の足での一歩の時間が格納される。そして、処理は、ステップＳ２８４に進む。
【０１４８】
以降、ステップＳ２８４〜Ｓ３０２の処理を繰り返して、被験者の一方の足の一歩の間隔及び他方の足の一歩の間隔が交互かつ順次測定される。
【０１４９】
［体内時計計測モード］
【０１５０】
図２１は、実施の形態による体内時計計測モードでのレディ画面の例示図である。まず、プロセッサ２０は、図２１のレディ画面をテレビジョンモニタ５に表示する。このレディ画面には、「１５秒数えてから、ジャンプしてください」なる文字列が含まれる。また、プロセッサ２０は、被験者が乗るべき踏み領域ＳＴ２及びＳＴ３を明示すべく、マット２の踏み領域ＳＴ２及びＳＴ３に対応するマットオブジェクト２００の領域Ａ２及びＡ３を第１の所定色（右上がりの斜線部）に着色する。
【０１５１】
被験者が、マット２の踏み領域ＳＴ２及びＳＴ３に乗ると、つまり、フットスイッチＳＷ２及びＳＷ３がオンになると、図示していないが、プロセッサ２０は、「３」、「２」、「１」、「スタート」とテレビジョンモニタ５にカウントダウンを表示する。被験者は、「スタート」の文字列が表示されてから、自分の感覚で１５秒が経過したと思った時に、ジャンプをする。この場合、プロセッサ２０は、「スタート」の文字列を表示した時点で、計時を開始する。そして、プロセッサ２０は、フットスイッチＳＷ１〜ＳＷ４の全てがオフになった時に計時を終了する。
【０１５２】
プロセッサ２０が、計時した時間が被験者の体内時計に基づく１５秒であり、この計時結果と１５との差を求めることにより、被験者の体内時計（人間の体内に備わっている、時を刻む仕組み）の正確さを判断できる。また、この差は、リズム感、判断力、及び集中力といった被験者の機能を判断する目安となる。なお、この差を１５秒で除して、誤差の割合を求め、判断の目安とすることもできる。
【０１５３】
被験者が、このような計測を繰り返し行うことにより、体内時計、リズム感、判断力、及び集中力といった機能の向上を期待できる。つまり、一定時間の感覚を養うことが期待できる。
【０１５４】
図２２は、図２のプロセッサ２０が実行する体内時計計測処理の流れを示すフローチャートである。図２２を参照して、ステップＳ３２０にて、プロセッサ２０は、この処理で使用する変数やフラグを初期化する。ステップＳ３２２にて、プロセッサ２０は、図２１のレディ画面を表示する。ステップＳ３２４にて、プロセッサ２０は、フットスイッチＳＷ２及びＳＷ３の双方について、オフからオンへの遷移が発生したか否かをチェックする。そして、プロセッサ２０は、ＮＯならばステップＳ３２４に戻り、ＹＥＳならばステップＳ３２６に進む。ステップＳ３２６にて、プロセッサ２０は、カウントダウンを開始すると共に、カウントダウンの進行を示す計測開始画面（図示せず）を表示する。ステップＳ３２８にて、プロセッサ２０は、カウント値が０か否かを判断し、０でない場合はステップＳ３２８に戻り、０の場合ステップＳ３３０に進む。
【０１５５】
ステップＳ３３０にて、プロセッサ２０は、計時を開始すると同時に、「スタート」の文字を表示する。ステップＳ３３２にて、プロセッサ２０は、計時開始後３０秒経過したか否かを判断し、ＹＥＳの場合ステップＳ３３８に進み、ＮＯの場合ステップＳ３３４に進む。
【０１５６】
ステップＳ３３４にて、プロセッサ２０は、フットスイッチＳＷ２及びＳＷ３の双方について、オンからのオフへの遷移が発生したか否かをチェックする。そして、プロセッサ２０は、ＮＯならばステップＳ３３２に戻り、ＹＥＳならばステップＳ３３５に進む。ＹＥＳは、被験者がジャンプしたことを意味する。そして、ステップＳ３３５にて、プロセッサ２０は、計時を終了する。ステップＳ３３６にて、プロセッサ２０は、最終の計時値Ｔ、つまり、被験者の体内時計による１５秒に相当する真の時間を表示する。
【０１５７】
ステップＳ３３２でＹＥＳが判断された後、ステップＳ３３８では、プロセッサ２０は、計時を終了し、ステップＳ３４０にて、エラー表示をして、ステップＳ３２０に戻る。この処理は、ステップＳ３３０の計時開始後、３０秒以内に、被験者がジャンプしない場合は、エラーと判断するためのものである。
【０１５８】
［身体反射力計測モード］
【０１５９】
このモードでは、被験者は、椅子をマット２の中央手前に置く。そして、被験者は、手を横に下げた状態で浅めに腰掛ける。一方、プロセッサ２０は、図５と同じレディ画面（タイトル等の表示文字列は本モードに合わせたもの）をテレビジョンモニタ５に表示する。被験者が、マット２の踏み領域ＳＴ２及びＳＴ３を押して、フットスイッチＳＷ２及びＳＷ３をオンにすると、プロセッサ２０は、開始の合図を表示してから、計測中画面を表示する。なお、被験者は、フットスイッチＳＷ２及びＳＷ３をオンにした後、両足をマット２から下ろして待機する。
【０１６０】
図２３は、実施の形態による身体反射力計測モードでの計測中画面の例示図である。図２３に示すように、プロセッサ２０は、踏み位置指示オブジェクト１１３を、領域Ａ１，Ａ２，Ａ３及びＡ４のうちいずれかの直上に表示する。被験者は、踏み位置指示オブジェクト１１３の直下の領域（Ａ１〜Ａ４）に対応する踏み領域（ＳＴ１〜ＳＴ４）を、できるだけ速く踏み込むことを試みる。この場合、プロセッサ２０は、踏み位置指示オブジェクト１１３を表示した時点から計時を開始し、表示した踏み位置指示オブジェクト１１３の直下の領域（Ａ１〜Ａ４）に対応するフットスイッチ（ＳＷ１〜ＳＷ４）のオフからオンへの遷移を検知した時点で、計時を停止する。踏み位置指示オブジェクト１１３を表示した時点から、対応するフットスイッチのオフからオンへの遷移を検知した時点までの時間（単位反応時間）は、被験者が、踏み位置指示オブジェクト１１３の表示に、いかに速く反応できたかの目安となる。
【０１６１】
対応するフットスイッチのオフからオンへの遷移を検知した時、プロセッサ２０は、当該踏み位置指示オブジェクト１１３を消去し、新たな踏み位置指示オブジェクト１１３を、領域Ａ１，Ａ２，Ａ３及びＡ４のうちいずれかの直上に表示し、再び計時を開始し、表示した踏み位置指示オブジェクト１１３の直下の領域（Ａ１〜Ａ４）に対応するフットスイッチ（ＳＷ１〜ＳＷ４）のオフからオンへの遷移を検知した時点で、計時を停止する。
【０１６２】
プロセッサ２０は、踏み位置指示オブジェクト１１３を２０個表示するまで、このような処理を繰り返す。つまり、プロセッサ２０は、２０個目の踏み位置指示オブジェクト１１３が表示され、対応するフットスイッチのオフからオンへの遷移が検知された時、計時を終了する。
【０１６３】
プロセッサ２０は、残り歩数表示部１０９に、被験者が行うべき残りの歩数、つまり、（２０−現在の歩数）をリアルタイムで表示すると共に、経過時間表示部１１１に計時結果をリアルタイムで表示する。従って、経過時間表示部１１１に表示される最終的な計時結果は、単位反応時間の累積結果である。この最終的な計時結果は、踏み位置指示オブジェクト１１３の出現に被験者がどの程度速く反応できたか、つまり、被験者の反射神経の程度を知る目安となる。最終的な計時結果が短いほど、被験者が素早く反応できたことになる。また、この最終的な計時結果は、被験者の敏捷性、判断力、及び集中力を判断する目安ともなる。
【０１６４】
被験者が、このような計測を繰り返し行うことにより、反射神経、敏捷性、判断力、及び集中力といった機能の向上を期待できる。つまり、判断力と反応性が養われると同時に、下肢の反射神経の向上が期待できる。これらの機能の向上は、日常でのとっさの方向転換などの神経の反射に役立つことが期待できる。
【０１６５】
図２４は、図２のプロセッサ２０が実行する身体反射力計測処理の流れを示すフローチャートである。図２４を参照して、ステップＳ３６０にて、プロセッサ２０は、この処理で使用する変数やフラグを初期化する。ステップＳ３６２にて、プロセッサ２０は、レディ画面を表示する。ステップＳ３６４にて、プロセッサ２０は、フットスイッチＳＷ２及びＳＷ３の双方について、オフからオンへの遷移が発生したか否かをチェックする。そして、プロセッサ２０は、ＮＯならばステップＳ３６４に戻り、ＹＥＳならばステップＳ３６６に進む。ステップＳ３６６にて、プロセッサ２０は、カウントダウンを開始すると共に、カウントダウンの進行を示す計測開始画面（図示せず）を表示する。ステップＳ３６８にて、プロセッサ２０は、カウント値が０か否かを判断し、０でない場合はステップＳ３６８に戻り、０の場合ステップＳ３７０に進む。
【０１６６】
ステップＳ３７０にて、プロセッサ２０は、経過時間表示部１１１への計時値Ｔ及び残り歩数表示部１０９への残り歩数ＲＳのリアルタイム表示を開始する。ただし、この時点では、計時値Ｔ＝０、ＲＳ＝２０、である。ステップＳ３７２にて、プロセッサ２０は、乱数を発生して、領域Ａ１〜Ａ４のいずれかを選択して、位置指示オブジェクト１１３の表示位置を決定する。ステップＳ３７４にて、プロセッサ２０は、ステップＳ３７２で決定した表示位置と、前回の表示位置と、が同じか否かを判断し、ＹＥＳの場合ステップＳ３７２に戻り、ＮＯの場合ステップＳ３７６に進む。これにより、連続して同じ位置に位置指示オブジェクト１１３が表示されることを回避する。
【０１６７】
そして、ステップＳ３７６にて、プロセッサ２０は、ステップＳ３７２で選択した領域（Ａ１〜Ａ４のいずれか）の直上に、位置指示オブジェクト１１３を表示する。これと同時に、ステップＳ３７８にて、プロセッサ２０は、計時を開始する。ステップＳ３８０にて、プロセッサ２０は、位置指示オブジェクト１１３の直下のフットスイッチ（ＳＷ１〜ＳＷ４のいずれか）のオフからオンへの遷移が発生したか否かを判断し、ＮＯの場合ステップＳ３８０に戻り、ＹＥＳの場合ステップＳ３８２に進む。従って、被験者が、位置指示オブジェクト１１３の直下のフットスイッチを踏み込まない限り、次の処理には進まない。
【０１６８】
ステップＳ３８２では、プロセッサ２０は、計時を一時停止する。ステップＳ３８４にて、プロセッサ２０は、残り歩数ＲＳを算出する。ステップＳ３８６にて、プロセッサ２０は、残り歩数ＲＳが０か否かを判断し、ＮＯの場合ステップＳ３７２に進み、ＹＥＳの場合ステップＳ３８８に進む。このようにして、位置指示オブジェクト１１３が２０回表示されるまで、ステップＳ３７２〜Ｓ３８６の処理が繰り返される。そして、ステップＳ３８８にて、プロセッサ２０は、最終的な計時結果Ｔを含む結果画面を表示する。
【０１６９】
［身体反応力計測モード］
【０１７０】
図２５は、実施の形態による身体反応力計測モードでの計測中画面の例示図である。まず、プロセッサ２０は、図５と同じレディ画面（タイトル等の表示文字列は本モードに合わせたもの）をテレビジョンモニタ５に表示する。そして、被験者が、マット２の踏み領域ＳＴ２及びＳＴ３に乗って、フットスイッチＳＷ２及びＳＷ３をオンにすると、プロセッサ２０は、開始の合図を表示してから、図２５の計測中画面を表示する。つまり、プロセッサ２０は、計測中画面のマットオブジェクト２００の領域Ａ１，Ａ２，Ａ３及びＡ４のうちのいずれか２つの直上に、２つのガイドオブジェクト１１９を表示する。また、プロセッサ２０は、最初の２つのガイドオブジェクト１１９の表示と同時に、２０秒からのカウントダウンを開始し、残り時間表示部１１５に結果をリアルタイムで表示する。なお、被験者は、マット２に乗ったままの状態で、ジャンプによる踏み込み動作を行う。
【０１７１】
被験者は、２つのガイドオブジェクト１１９の直下の領域（Ａ１〜Ａ４）に対応する踏み領域（ＳＴ１〜ＳＴ４）を、できるだけ速く、ジャンプして踏み込むことを試みる。そして、プロセッサ２０は、２つのガイドオブジェクト１１９の直下の領域（Ａ１〜Ａ４）に対応するフットスイッチ（ＳＷ１〜ＳＷ４）のオフからオンへの遷移を検知した時点で、当該２つのガイドオブジェクト１１９を消去すると共に、ポイントを１つ加算し、ポイント表示部１１７にポイント数を表示する。そして、直ちに、プロセッサ２０は、領域Ａ１，Ａ２，Ａ３及びＡ４のうちのいずれか２つの直上に、新たに２つのガイドオブジェクト１１９を表示して、被験者の踏み込みを待ち、残り時間が「０」になるまで、上記処理を繰り返す。
【０１７２】
ポイント表示部１１７のポイント数は、２０秒間の被験者の反応回数であり、２つのガイドオブジェクト１１９が表示されてから被験者が対応する踏み領域（ＳＴ１〜ＳＴ４）を踏み込むまでの時間が短いほど大きくなる。従って、ポイント数は、２つのガイドオブジェクト１１９にどれだけ速く反応できたか、つまり、被験者の反射神経の程度を知る目安となる。また、ポイント数は、瞬発力、脚力、及び判断力を判断する目安ともなる。
【０１７３】
被験者が、このような計測を繰り返し行うことにより、反射神経、瞬発力、脚力、及び判断力といった機能の向上を期待できる。つまり、目で見たことの判断能力と同時にその判断を運動に伝える能力、そして、与えられた脳からの指示で筋肉を動かす能力の向上を期待できる。これらの能力は、例えば、運動時のつまずきの防止に役立つと思われる。
【０１７４】
図２６は、図２のプロセッサ２０が実行する身体反応力計測処理の流れを示すフローチャートである。図２６を参照して、ステップＳ４００にて、プロセッサ２０は、この処理で使用する変数やフラグを初期化する。ステップＳ４０２にて、プロセッサ２０は、レディ画面を表示する。ステップＳ４０４にて、プロセッサ２０は、フットスイッチＳＷ２及びＳＷ３の双方について、オフからオンへの遷移が発生したか否かをチェックする。そして、プロセッサ２０は、ＮＯならばステップＳ４０４に戻り、ＹＥＳならばステップＳ４０６に進む。ステップＳ４０６にて、プロセッサ２０は、カウントダウンを開始すると共に、カウントダウンの進行を示す計測開始画面（図示せず）を表示する。ステップＳ４０８にて、プロセッサ２０は、カウント値が０か否かを判断し、０でない場合はステップＳ４０８に戻り、０の場合ステップＳ４０９に進む。
【０１７５】
ステップＳ４０９にて、プロセッサ２０は、計時（２０秒からのカウントダウン）を開始する。同時に、ステップＳ４１０にて、プロセッサ２０は、残り時間表示部１１５への計時値Ｔ及びポイント表示部１１７へのポイント数Ｐのリアルタイム表示を開始する。ただし、この時点では、計時値Ｔ＝２０、Ｐ＝０、である。ステップＳ４１２にて、プロセッサ２０は、乱数を発生して、４パターンから１パターンを選択する。１つのパターンにより、２つのガイドオブジェクト１１９の位置を示される。第１パターンは、領域Ａ２及びＡ３の直上に２つのガイドオブジェクト１１９を表示するものであり、第２パターンは、領域Ａ２及びＡ４の直上に２つのガイドオブジェクト１１９を表示するものであり、第３パターンは、領域Ａ１及びＡ３の直上に２つのガイドオブジェクト１１９を表示するものであり、第４パターンは、領域Ａ１及びＡ４の直上に２つのガイドオブジェクト１１９を表示するものである。
【０１７６】
ステップＳ４１４にて、プロセッサ２０は、ステップＳ４１２で選択したパターンが前回選択したパターンと同じか否かを判断し、ＹＥＳの場合ステップＳ４１２に戻り、ＮＯの場合ステップＳ４１６に進む。これにより、連続して同じ位置にガイドオブジェクト１１９が表示されることを回避する。
【０１７７】
そして、ステップＳ４１６にて、プロセッサ２０は、ステップＳ４１２で選択したパターンに従って、２つのガイドオブジェクト１１９を表示する。ステップＳ４２０にて、プロセッサ２０は、２つのガイドオブジェクト１１９の直下の２つのフットスイッチ（ＳＷ１〜ＳＷ４のうちの２つ）のオフからオンへの遷移が発生したか否かを判断し、ＮＯの場合ステップＳ４２０に戻り、ＹＥＳの場合ステップＳ４２２に進む。従って、被験者が、２つのガイドオブジェクト１１９の直下の２つフットスイッチを踏み込まない限り、次の処理には進まない。
【０１７８】
ステップＳ４２２では、プロセッサ２０は、ポイントＰを１つインクリメントする。ステップＳ４２４にて、プロセッサ２０は、計時値Ｔが０か否かを判断し、ＮＯの場合ステップＳ４１２に進み、ＹＥＳの場合ステップＳ４２６に進む。このようにして、２０秒が経過するまで、ステップＳ４１２〜Ｓ４２４の処理が繰り返される。そして、ステップＳ４２６にて、プロセッサ２０は、最終的なポイントＰを含む結果画面を表示する。
【０１７９】
［身体追従力計測モード］
【０１８０】
図２７は、実施の形態による身体追従力計測モードでの計測中画面の例示図である。まず、プロセッサ２０は、図５と同じレディ画面（タイトル等の表示文字列は本モードに合わせたもの）をテレビジョンモニタ５に表示する。そして、被験者が、マット２の踏み領域ＳＴ２及びＳＴ３に乗って、フットスイッチＳＷ２及びＳＷ３をオンにすると、プロセッサ２０は、開始の合図を表示及び／又は開始の音声を出力してから、図２７の計測中画面を表示する。つまり、プロセッサ２０は、領域Ａ２及びＡ３の直上に表示したガイドオブジェクト１３５Ｌ及び１３５Ｒを開始点として、ガイドオブジェクト１３５Ｒを領域Ａ４の直上→ガイドオブジェクト１３５Ｌを領域Ａ１の直上→ガイドオブジェクト１３５Ｒを領域Ａ３の直上→ガイドオブジェクト１３５Ｌを領域Ａ２の直上という順番で、巡回的にガイドオブジェクト１３５Ｌ及び１３５Ｒを移動させる。この場合、プロセッサ２０は、ガイドオブジェクト１３５Ｌ及び１３５Ｒの移動の度に、移動カウンタＭＣを１だけインクリメントする。なお、被験者は、マット２に乗ったままの状態で踏み込み動作を行う。
【０１８１】
ここで、開始点から、ガイドオブジェクト１３５Ｒを領域Ａ４の直上に移動させ、次に、ガイドオブジェクト１３５Ｌを領域Ａ１の直上に移動させ、次に、ガイドオブジェクト１３５Ｒを領域Ａ３の直上に移動させ、次に、ガイドオブジェクト１３５Ｌを領域Ａ２の直上に移動させるまでを１サイクルとする。そして、プロセッサ２０は、２サイクル単位で、ガイドオブジェクト１３５Ｌ及び１３５Ｒの移動速度を速くしていく。つまり、ステップ速さ表示部１３１のレベルを１段階上げる。本実施の形態では、２５レベルまで用意している。
【０１８２】
被験者は、ガイドオブジェクト１３５Ｌ及び１３５Ｒの移動に合わせて、ガイドオブジェクト１３５Ｌ及び１３５Ｒの直下の領域（Ａ１〜Ａ４）に対応する踏み領域（ＳＴ１〜ＳＴ４）を踏み込むことを試みる。上記のように、ガイドオブジェクト１３５Ｌ及び１３５Ｒの移動速度が、２サイクル単位で段階的に大きくなるので、被験者にとって、ガイドオブジェクト１３５Ｌ及び１３５Ｒの移動に合わせた踏み込み動作が徐々に困難になってくる。
【０１８３】
プロセッサ２０は、フットスイッチＳＷ１〜ＳＷ４のオフからオンへの遷移を検知する度に、ステップカウンタＳＣを１だけインクリメントし、その結果をステップ回数表示部１３３に表示する。ただし、フットスイッチＳＷ１〜ＳＷ４のオフからオンへの遷移が、ガイドオブジェクト１３５Ｌ及び１３５Ｒが示す順番で発生したときにのみステップカウンタＳＣのインクリメントが実行される。そして、プロセッサ２０は、移動カウンタＭＣの値とステップカウンタＳＣの値との差の絶対値を求め、差の絶対値が３以上になると、計測を終了する。
【０１８４】
計測終了時のステップ速さ表示部１３１のレベル及び計測終了時のステップ回数表示部１３３の踏み込み数は、ガイドオブジェクト１３５Ｌ及び１３５Ｒの移動に被験者がどの程度追従できたか、つまり、被験者の巧緻性（自分の身体を意のままに操ることができる能力）を知る目安となる。計測終了時のステップ速さ表示部１３１のレベルや踏み込み数が大きいほど、ガイドオブジェクト１３５Ｌ及び１３５Ｒの速い移動にも追従できたことを意味する。また、計測終了時のステップ速さ表示部１３１のレベル及び踏み込み数は、脚力、リズム感、及び判断力を判断する目安ともなる。
【０１８５】
被験者が、このような計測を繰り返し行うことにより、巧緻性、脚力、リズム感、及び判断力といった機能の向上を期待できる。つまり、反射神経の持続性と粘り強い判断力が養われることが期待できる。
【０１８６】
なお、任意の数のレベルを設定できることは言うまでもない。この場合、想定される被験者が、到底追従できないレベルまで、レベルを定めることもできる。一方、最高レベルを、想定される被験者が追従可能なレベルとし、そのレベルに到達した後は、そのレベルを維持することで、被験者に追従動作を持続させるようにすることもできる。このときの最高レベルを調整することで、被験者に行わせたい運動の量を調整できる。
【０１８７】
図２８及び図２９は、それぞれ、図２のプロセッサ２０が実行する身体追従力計測処理の前半部及び後半部の流れを示すフローチャートである。図２８を参照して、ステップＳ４４０にて、プロセッサ２０は、この処理で使用する変数やフラグを初期化する。ステップＳ４４２にて、プロセッサ２０は、レディ画面を表示する。ステップＳ４４４にて、プロセッサ２０は、フットスイッチＳＷ２及びＳＷ３の双方について、オフからオンへの遷移が発生したか否かをチェックする。そして、プロセッサ２０は、ＮＯならばステップＳ４４４に戻り、ＹＥＳならばステップＳ４４６に進む。ステップＳ４４６にて、プロセッサ２０は、カウントダウンを開始すると共に、カウントダウンの進行を示す計測開始画面（図示せず）を表示する。ステップＳ４４８にて、プロセッサ２０は、カウント値が０か否かを判断し、０でない場合はステップＳ４４８に戻り、０の場合ステップＳ４５０に進む。
【０１８８】
ステップＳ４５０にて、プロセッサ２０は、ガイド速度（一定時間）Ｔｖに応じた速度レベルをステップ速さ表示部１３１に表示する。ガイド速度Ｔｖは、ガイドオブジェクト１３５Ｌ及び１３５Ｒの位置を切り替える時間間隔を示し、初期値は最大値である。この最大値に対応する速度レベル、つまり、速度レベルの初期値は１である。ステップＳ４５２にて、プロセッサ２０は、ガイドオブジェクト１３５Ｌ及び１３５Ｒをそれぞれ、領域Ａ２及びＡ３の直上に表示する。ステップＳ４５４にて、プロセッサ２０は、ステップＳ４５０の表示後ガイド速度Ｔｖが示す一定時間が経過したか否かを判断し、ＮＯの場合ステップＳ４５４に戻り、ＹＥＳの場合図２９のステップＳ４５６に進む。
【０１８９】
図２９を参照して、ステップＳ４５６にて、プロセッサ２０は、領域Ａ３の直上のガイドオブジェクト１３５Ｒを消去し、かつ、領域Ａ４の直上にガイドオブジェクト１３５Ｒを表示する。ステップＳ４５８にて、プロセッサ２０は、ガイドオブジェクト１３５Ｌ及び１３５Ｒのいずれかが移動するたびにカウントアップされる移動カウンタＭＣを１つインクリメントする。そして、ステップＳ４６０にて、プロセッサ２０は、ステップＳ４５６の表示後ガイド速度Ｔｖが示す一定時間が経過したか否かを判断し、ＮＯの場合ステップＳ４６０に戻り、ＹＥＳの場合ステップＳ４６２に進む。
【０１９０】
ステップＳ４６２にて、プロセッサ２０は、領域Ａ２の直上のガイドオブジェクト１３５Ｌを消去し、かつ、領域Ａ１の直上にガイドオブジェクト１３５Ｌを表示する。ステップＳ４６４にて、プロセッサ２０は、移動カウンタＭＣを１つインクリメントする。そして、ステップＳ４６６にて、プロセッサ２０は、ステップＳ４６２の表示後ガイド速度Ｔｖが示す一定時間が経過したか否かを判断し、ＮＯの場合ステップＳ４６６に戻り、ＹＥＳの場合ステップＳ４６８に進む。
【０１９１】
ステップＳ４６８にて、プロセッサ２０は、領域Ａ４の直上のガイドオブジェクト１３５Ｒを消去し、かつ、領域Ａ３の直上にガイドオブジェクト１３５Ｒを表示する。ステップＳ４７０にて、プロセッサ２０は、移動カウンタＭＣを１つインクリメントする。そして、ステップＳ４７２にて、プロセッサ２０は、ステップＳ４６８の表示後ガイド速度Ｔｖが示す一定時間が経過したか否かを判断し、ＮＯの場合ステップＳ４７２に戻り、ＹＥＳの場合ステップＳ４７４に進む。
【０１９２】
ステップＳ４７４にて、プロセッサ２０は、領域Ａ１の直上のガイドオブジェクト１３５Ｌを消去し、かつ、領域Ａ２の直上にガイドオブジェクト１３５Ｌを表示する。ステップＳ４７６にて、プロセッサ２０は、移動カウンタＭＣを１つインクリメントする。そして、ステップＳ４７８にて、プロセッサ２０は、ステップＳ４７４の表示後ガイド速度Ｔｖが示す一定時間が経過したか否かを判断し、ＮＯの場合ステップＳ４７８に戻り、ＹＥＳの場合ステップＳ４８０に進む。
【０１９３】
ステップＳ４８０にて、プロセッサ２０は、変数ｉが１か否かを判断し、ＮＯの場合ステップＳ４８６に進み、ＹＥＳの場合ステップＳ４８２に進む。変数ｉは、初期値が０であり、サイクルが進むたびに０と１とを交互に繰り返す（ステップＳ４８６）。従って、変数ｉが１でない、つまり０の場合は２サイクル経過していないことを意味し、同じ速度レベルを維持する必要があるため、ステップＳ４８６に進むのである。そして、ステップＳ４８６では、プロセッサ２０は、変数ｉに１を代入し、ステップＳ４５６に進む。一方、変数ｉが１の場合は２サイクル経過したことを意味し、速度レベルを変更する必要があるため、ステップＳ４８２に進むのである。従って、ステップＳ４８２では、プロセッサ２０は、ガイド速度Ｔｖをより短い時間に更新する。更新値は、テーブルから引いてきてもよいし、値を減算するようにしてもよい。そして、ステップＳ４８４にて、プロセッサ２０は、ステップ速さ表示部１３１の速度レベルを１つ上げる。この後のステップＳ４８６では、プロセッサ２０は、変数ｉに０を代入して、ステップＳ４５６に進む。
【０１９４】
次に、被験者のステップとガイドとの間のずれの測定処理を説明する。
【０１９５】
図３０は、図２のプロセッサ２０が実行する、ずれ測定処理の流れを示すフローチャートである。図３０を参照して、ステップＳ４９０にて、プロセッサ２０は、この処理で使用する変数やフラグを初期化する。そして、ステップＳ４９２にて、プロセッサ２０は、図２８のステップＳ４４６で開始したカウント値が０か否かを判断し、０でない場合はステップＳ４９２に戻り、０の場合ステップＳ４９４に進む。
【０１９６】
ステップＳ４９４にて、プロセッサ２０は、フットスイッチＳＷ４のオフからオンへの遷移が発生したか否かをチェックする。そして、プロセッサ２０は、ＮＯの場合ステップＳ４９４に戻り、ＹＥＳの場合ステップＳ４９６に進む。
【０１９７】
プロセッサ２０は、ステップＳ４９６にて、被験者のステップ数を計数するためのステップカウンタＳＣを１つインクリメントし、同時に、ステップＳ４９８にて、ステップ数表示部１３３に表示されたステップカウンタＳＣの値を更新する。ステップＳ５００にて、プロセッサ２０は、移動カウンタＭＣの値とステップカウンタＳＣの値との差の絶対値を算出して、変数ＭＳに格納する。ステップＳ５０２にて、プロセッサ２０は、差ＭＳが３以上か否かを判断し、ＹＥＳの場合失敗とみなしステップＳ５３４に進み、ＮＯの場合ステップＳ５０４に進む。
【０１９８】
ステップＳ５０４にて、プロセッサ２０は、フットスイッチＳＷ１のオフからオンへの遷移が発生したか否かをチェックする。そして、プロセッサ２０は、ＮＯの場合ステップＳ５０４に戻り、ＹＥＳの場合ステップＳ５０６に進む。
【０１９９】
プロセッサ２０は、ステップＳ５０６にて、ステップカウンタＳＣを１つインクリメントし、同時に、ステップＳ５０８にて、ステップ数表示部１３３に表示されたステップカウンタＳＣの値を更新する。ステップＳ５１０にて、プロセッサ２０は、移動カウンタＭＣの値とステップカウンタＳＣの値との差の絶対値を算出して、変数ＭＳに格納する。ステップＳ５１２にて、プロセッサ２０は、差ＭＳが３以上か否かを判断し、ＹＥＳの場合失敗とみなしステップＳ５３４に進み、ＮＯの場合ステップＳ５１４に進む。
【０２００】
ステップＳ５１４にて、プロセッサ２０は、フットスイッチＳＷ３のオフからオンへの遷移が発生したか否かをチェックする。そして、プロセッサ２０は、ＮＯの場合ステップＳ５１４に戻り、ＹＥＳの場合ステップＳ５１６に進む。
【０２０１】
プロセッサ２０は、ステップＳ５１６にて、ステップカウンタＳＣを１つインクリメントし、同時に、ステップＳ５１８にて、ステップ数表示部１３３に表示されたステップカウンタＳＣの値を更新する。ステップＳ５２０にて、プロセッサ２０は、移動カウンタＭＣの値とステップカウンタＳＣの値との差の絶対値を算出して、変数ＭＳに格納する。ステップＳ５２２にて、プロセッサ２０は、差ＭＳが３以上か否かを判断し、ＹＥＳの場合失敗とみなしステップＳ５３４に進み、ＮＯの場合ステップＳ５２４に進む。
【０２０２】
ステップＳ５２４にて、プロセッサ２０は、フットスイッチＳＷ２のオフからオンへの遷移が発生したか否かをチェックする。そして、プロセッサ２０は、ＮＯの場合ステップＳ５２４に戻り、ＹＥＳの場合ステップＳ５２６に進む。
【０２０３】
プロセッサ２０は、ステップＳ５２６にて、ステップカウンタＳＣを１つインクリメントし、同時に、ステップＳ５２８にて、ステップ数表示部１３３に表示されたステップカウンタＳＣの値を更新する。ステップＳ５３０にて、プロセッサ２０は、移動カウンタＭＣの値とステップカウンタＳＣの値との差の絶対値を算出して、変数ＭＳに格納する。ステップＳ５３２にて、プロセッサ２０は、差ＭＳが３以上か否かを判断し、ＹＥＳの場合失敗とみなしステップＳ５３４に進み、ＮＯの場合ステップＳ４９４に進む。
【０２０４】
以降、ステップＳ４９４〜Ｓ５３２の処理を繰り返して、被験者のステップとガイドとの間のずれＭＳがリアルタイムで測定される。
【０２０５】
ステップＳ５３４では、プロセッサ２０は、最終的な速度レベルとステップ数を含む結果画面を表示する。
【０２０６】
［第１の判断力計測モード］
【０２０７】
このモードでは、まず、プロセッサ２０は、図５と同じレディ画面（タイトル等の表示文字列は本モードに合わせたもの）をテレビジョンモニタ５に表示する。被験者が、マット２の踏み領域ＳＴ２及びＳＴ３を押して、フットスイッチＳＷ２及びＳＷ３をオンにすると、プロセッサ２０は、開始の合図を表示してから、計測画面を表示する。なお、被験者は、フットスイッチＳＷ２及びＳＷ３をオンにした後、両足をマット２から下ろして待機する。
【０２０８】
図３１は、実施の形態による第１の判断力計測モードでの計測画面の例示図である。図３１に示すように、プロセッサ２０は、計測画面のマットオブジェクト２００の領域Ａ１，Ａ２，Ａ３及びＡ４の直上に、それぞれ図画表示部１２１−１，１２１−２，１２１−３及び１２１−４を表示する（出題）。この図画表示部１２１−１，１２１−２，１２１−３及び１２１−４には、それぞれ異なる図画が表示される。ただし、４つの図画のうちの１つは、他の３つと種類が異なっている。図の例では、図画表示部１２１−１，１２１−２及び１２１−３には昆虫が、図画表示部１２１−４には鳥が表示されている。なお、本実施の形態では、３つの問題群（３ステージ）が用意される。また、プロセッサ２０は、経過時間を色の変化（斜線部）で示す経過時間ゲージ１０５を表示する。経過時間ゲージ１０５の全長は、１問題群（１ステージ）を解答するために被験者に与えられた時間（本実施の形態では２０秒）を表す。
【０２０９】
被験者が、種類が異なる図画が表示された図画表示部（１２１−１〜１２１−４）の直下に位置する領域（Ａ１〜Ａ４）に対応する踏み領域（ＳＴ１〜ＳＴ４）を踏み込み、対応するフットスイッチ（ＳＷ１〜ＳＷ４）をオンにすると正解と判断され、１ポイント加算される。被験者が、対応しないフットスイッチをオンにすると、不正解と判断され、１ポイント減算される。被験者は、経過時間ゲージ１０５の色変化が完了するまでに、できるだけ多くの正答を出すように試みる。２０秒間のポイントは、被験者の判断力を判断する目安となる。ポイントが多いほど、判断力が高いということになる。また、このポイントは、反射神経を判断する目安ともなる。
【０２１０】
被験者が、このような計測を繰り返し行うことにより、判断力及び反射神経といった機能の向上を期待できる。つまり、日常生活での認識能力が養われ、脳の柔軟性の向上や認知症の予防に役立つことが期待できる。
【０２１１】
図３２は、図２のプロセッサ２０が実行する第１の判断力計測処理の流れを示すフローチャートである。図３２を参照して、ステップＳ５５０にて、プロセッサ２０は、この処理で使用する変数やフラグを初期化する。ステップＳ５５２にて、プロセッサ２０は、レディ画面を表示する。ステップＳ５５３にて、プロセッサ２０は、フットスイッチＳＷ２及びＳＷ３の双方について、オフからオンへの遷移が発生したか否かをチェックする。そして、プロセッサ２０は、ＮＯならばステップＳ５５３に戻り、ＹＥＳならばステップＳ５５４に進む。ステップＳ５５４にて、プロセッサ２０は、カウントダウンを開始すると共に、カウントダウンの進行を示す計測開始画面（図示せず）を表示する。ステップＳ５５６にて、プロセッサ２０は、カウント値が０か否かを判断し、０でない場合はステップＳ５５６に戻り、０の場合ステップＳ５５８に進む。
【０２１２】
プロセッサ２０は、ステップＳ５５８にて、計時を開始すると同時に、ステップＳ５６０にて、経過時間ゲージ１０５の進行を開始する。ステップＳ５６２にて、プロセッサ２０は、出題する問題を決定する。ステップＳ５６４にて、プロセッサ２０は、ステップＳ５６２で決定した問題、つまり、４図画を図画表示部１２１−１〜１２１−４に表示する。ステップＳ５６６にて、プロセッサ２０は、フットスイッチＳＷ１〜ＳＷ４のいずれかのオフからオンへの遷移が発生したか否かを判断し、ＮＯの場合ステップＳ５６６に戻り、ＹＥＳの場合ステップＳ５６８に進む。ステップＳ５６８では、プロセッサ２０は、表示中の４図画を図画表示部１２１−１〜１２１−４から消去する。
【０２１３】
ステップＳ５７０にて、プロセッサ２０は、オフからオンへの遷移が発生したフットスイッチが正解を示しているか否かを判断し、ＮＯの場合ステップＳ５７４に進み、ＹＥＳの場合ステップＳ５７２に進む。ステップＳ５７４では、プロセッサ２０は、ポイントＰを一つデクリメントする。一方、ステップＳ５７２では、プロセッサ２０は、ポイントＰを一つインクリメントする。
【０２１４】
ステップＳ５７６にて、プロセッサ２０は、ステップＳ５５８の計時開始から２０秒が経過したか否か、つまり、本ステージが終了したか否かを判断し、ＮＯの場合ステップＳ５６２に進み、ＹＥＳの場合ステップＳ５７８に進む。ステップＳ５７８にて、プロセッサ２０は、全ステージ、つまり、３ステージが終了したか否かを判断し、ＮＯの場合ステップＳ５８０に進み、ＹＥＳの場合ステップＳ５８２に進む。ステップＳ５８０では、プロセッサ２０は、経過時間ゲージ１０５及び計時値Ｔをクリアすると共に、ステージを１つ更新して、ステップＳ５５８に進む。一方、ステップＳ５８２では、プロセッサ２０は、最終的なポイントＰを含む結果画面を表示する。
【０２１５】
次に、ステップＳ５６２の詳細をステージごとに説明する。まず、第１ステージにおける問題決定処理を説明する。
【０２１６】
図３３は、図３２のステップＳ５６２の問題決定処理（第１ステージ）の流れを示すフローチャートである。図３３を参照して、ステップＳ５８４にて、プロセッサ２０は、乱数を発生して、１３グループから１グループを第１グループとして選択する。各グループは、異なる４図画により構成される。例えば、１３グループは、それぞれ、海上の乗り物、空の乗り物、四輪車、二輪車、昆虫、鳥、陸上の動物、魚類、工具、医療用具（薬を含む。）、料理用具、運動用具、及び電化製品、である。
【０２１７】
ステップＳ５８５にて、プロセッサ２０は、ステップＳ５８４で選択した第１グループが前回の第１グループと同じか否かを判断し、ＹＥＳの場合ステップＳ５８４に戻り、ＮＯの場合ステップＳ５８６に進む。ステップＳ５８６にて、プロセッサ２０は、乱数を発生して、１３グループから１グループを第２グループとして選択する。ステップＳ５８７にて、プロセッサ２０は、ステップＳ５８６で選択した第２グループが最新の第１グループと同じか否かを判断し、ＹＥＳの場合ステップＳ５８６に戻り、ＮＯの場合ステップＳ５８８に進む。
【０２１８】
ステップＳ５８８にて、プロセッサ２０は、乱数を発生して、第１グループから１図画を選択する。ステップＳ５８９にて、プロセッサ２０は、乱数を発生して、第２グループから１図画を選択する。ステップＳ５９０にて、プロセッサ２０は、第２グループから選択した１図画の位置を、乱数に基づき決定する。つまり、乱数に基づき、図画表示部１２１−１〜１２１−４から１つが選択される。ステップＳ５９１では、プロセッサ２０は、第１グループから選択した１図画の位置を残りの３つの位置に決定する。図３２に戻って、ステップＳ５６４にて、プロセッサ２０は、このようにして決定された位置に４図画を表示する。従って、第１ステージでは、図画表示部１２１−１〜１２１−４のうちの１つだけが異なる図画が表示されることになる。このため、被験者は異なる１図画を素早く選択することを試みる。
【０２１９】
次に、第２ステージにおける問題決定処理を説明する。この処理は、図３３の処理と同様である。ただし、６グループが用意される。各グループは、異なる４図画により構成される。例えば、６グループは、それぞれ、英数字、サイコロで示した数字、トランプで示した数字、マッチ棒で示した数字、立方体で示した数字、及び漢数字、である。第２ステージでは、図画表示部１２１−１〜１２１−４のうちの１つだけが異なる数を表す図画が表示されることになる。このため、被験者は異なる数を表す１図画を素早く選択することを試みる。
【０２２０】
次に、第３ステージにおける問題決定処理を説明する。
【０２２１】
図３４は、図３２のステップＳ５６２の問題決定処理（第３ステージ）の流れを示すフローチャートである。図３４を参照して、ステップＳ５９２にて、プロセッサ２０は、乱数を発生して、第１ステージと同じ１３グループから１グループを第１グループとして選択する。
【０２２２】
ステップＳ５９３にて、プロセッサ２０は、ステップＳ５９２で選択した第１グループが前回の第１グループと同じか否かを判断し、ＹＥＳの場合ステップＳ５９３に戻り、ＮＯの場合ステップＳ５９４に進む。ステップＳ５９４にて、プロセッサ２０は、乱数を発生して、１３グループから１グループを第２グループとして選択する。ステップＳ５９５にて、プロセッサ２０は、ステップＳ５９４で選択した第２グループが最新の第１グループと同じか否かを判断し、ＹＥＳの場合ステップＳ５９４に戻り、ＮＯの場合ステップＳ５９６に進む。
【０２２３】
ステップＳ５９６にて、プロセッサ２０は、乱数を発生して、第１グループから取り除く１図画を選択する。ステップＳ５９７にて、プロセッサ２０は、乱数を発生して、第１グループに加える１図画を第２グループから選択する。ステップＳ５９８にて、プロセッサ２０は、０〜２３を乱数で発生して、４図画の配置を決定する。つまり、４図画を図画表示部１２１−１〜１２１−４に割り当てる。この４図画は、ステップＳ５９６で残った３図画及びステップＳ５９７で選択された１図画である。図３２に戻って、ステップＳ５６４にて、プロセッサ２０は、このようにして決定された位置に４図画を表示する。従って、第３ステージでは、図画表示部１２１−１〜１２１−４のうちの１つだけが異なるグループに属する図画が表示されることになる。このため、被験者は異なる１図画を素早く選択することを試みる。
【０２２４】
［第２の判断力計測モード］
【０２２５】
このモードでは、まず、図５と同じレディ画面（タイトル等の表示文字列は本モードに合わせたもの）をテレビジョンモニタ５に表示する。このレディ画面には、「大きい数字を示す方の足を上げて下さい」なる文字列が含まれる。また、プロセッサ２０は、被験者が乗るべき踏み領域ＳＴ２及びＳＴ３を明示すべく、マット２の踏み領域ＳＴ２及びＳＴ３に対応するマットオブジェクト２００の領域Ａ２及びＡ３を第１の所定色（右上がりの斜線部）に着色する。被験者が、マット２の踏み領域ＳＴ２及びＳＴ３に乗ると、つまり、フットスイッチＳＷ２及びＳＷ３がオンになると、プロセッサ２０は、開始の合図を表示した後、計測画面を表示する。なお、被験者は、マット２に乗ったままの状態で踏み込み動作を行う。
【０２２６】
図３５は、実施の形態による第２の判断力計測モードでの計測画面の例示図である。図３５に示すように、プロセッサ２０は、数字表示部１２３Ｌ及び１２３Ｒを、それぞれ領域Ａ２及びＡ３の直上に表示する。数字表示部１２３Ｌ及び１２３Ｒには、互いに異なる数字が表示される（出題）。被験者は、大きい数字が記載されている数字表示部（１２３Ｌ，１２３Ｒ）の直下の領域（Ａ２，Ａ３）に対応する踏み領域（ＳＴ２，ＳＴ３）から足を上げて、対応するフットスイッチ（ＳＷ２，ＳＷ３）をオンからオフにする。この場合、被験者は、経過時間ゲージ１０５の色変化が完了してしまう前に正解しなければならない。なお、本実施の形態では、経過時間ゲージ１０５の色変化は、１秒で完了する。
【０２２７】
経過時間ゲージ１０５の色変化が完了すると、プロセッサ２０は、経過時間ゲージ１０５の色を元に戻すと共に、数字表示部１２３Ｌ及び１２３Ｒに、それぞれ互いに異なる新たな数字を表示する。これに対して、被験者は、上記と同様に、経過時間ゲージ１０５の色変化が完了してしまう前に解答する。
【０２２８】
出題が１０回終了すると、プロセッサ２０は、「小さい数字を示す方の足を上げて下さい」なる文字列が含まれるレディ画面を表示する。そして、プロセッサ２０は、開始の合図を表示した後、図３５と同様の計測画面を表示する。被験者は、小さい数字が記載されている数字表示部（１２３Ｌ，１２３Ｒ）の直下の領域（Ａ２，Ａ３）に対応する踏み領域（ＳＴ２，ＳＴ３）から足を上げて、対応するフットスイッチ（ＳＷ２，ＳＷ３）をオンからオフにする。この場合、被験者は、経過時間ゲージ１０５の色変化が完了してしまう前に正解しなければならない。
【０２２９】
出題が１０回終了すると、プロセッサ２０は、「大きい数字を示す方の足を上げて下さい」なる文字列が含まれるレディ画面を表示する。そして、プロセッサ２０は、開始の合図を表示した後、図３５と同様の計測画面を表示する。これに対して、被験者は、上記と同様に、経過時間ゲージ１０５の色変化が完了してしまう前に解答する。
【０２３０】
プロセッサ２０は、以上のような、大きい数字の選択と小さい数字の選択とを１０問単位で交互に繰り返し、出題が計１００問になったら終了する。ただし、被験者が、不正解を出すと、その時点で計測終了となる。プロセッサ２０は、１００問中、何問正解できたかを表示する。正答数は、被験者の判断力を判断する目安となる。正答数が多いほど、判断力が高いということになる。また、正答数は、反射神経を判断する目安ともなる。
【０２３１】
被験者が、このような計測を繰り返し行うことにより、判断力及び反射神経といった機能の向上を期待できる。つまり、判断力と単純認識力が養われると共に、一定の単純反射神経を継続的に使うことで、逆に神経を安定化し、リラックス感が得られることが期待できる。これは、日常での冷静さを保つのに有用であると思われる。
【０２３２】
図３６は、図２のプロセッサ２０が実行する第２の判断力計測処理の流れを示すフローチャートである。図３６を参照して、ステップＳ６００にて、プロセッサ２０は、この処理で使用する変数やフラグを初期化する。ステップＳ６０２にて、プロセッサ２０は、レディ画面を表示する。ステップＳ６０４にて、プロセッサ２０は、フットスイッチＳＷ２及びＳＷ３の双方について、オフからオンへの遷移が発生したか否かをチェックする。そして、プロセッサ２０は、ＮＯならばステップＳ６０４に戻り、ＹＥＳならばステップＳ６０６に進む。ステップＳ６０６にて、プロセッサ２０は、カウントダウンを開始すると共に、カウントダウンの進行を示す計測開始画面（図示せず）を表示する。ステップＳ６０８にて、プロセッサ２０は、カウント値が０か否かを判断し、０でない場合はステップＳ６０８に戻り、０の場合ステップＳ６１０に進む。
【０２３３】
ステップＳ６１０にて、プロセッサ２０は、問題文（小さい数字の選択又は大きい数字の選択）を表示する。ステップＳ６１２にて、プロセッサ２０は、一定時間が経過したか否かを判断し、ＮＯの場合ステップＳ６１２に進み、ＹＥＳの場合ステップＳ６１４に進んで、問題文を消去する。ステップＳ６１６にて、プロセッサ２０は、乱数を発生して、問題を決定する。詳しくは次の通りである。
【０２３４】
４グループが用意される。各グループは、６図画からなる。第１グループは、それぞれ１〜６の英数字を表した６枚の図画からなる。第２グループは、それぞれ１〜６の数を表した６枚のサイコロの図画からなる。第３グループは、それぞれ１〜６の数を表した６枚のトランプの図画からなる。第４グループは、それぞれ１〜６の漢数字を表した６枚の図画からなる。また、第１〜第１０問を第１ステージ、第１１〜第２０問を第２ステージ、第２１問〜第３０問を第３ステージ、第３１問〜第４０問を第４ステージ、第４１問〜第５０問を第５ステージ、第５１問〜第６０問を第６ステージ、第６１問〜第８０問を第７ステージ、及び第８１問〜第１００問を第８ステージとする。
【０２３５】
第１ステージでは、乱数を発生して、第１グループから異なる二つの図画を選択する。第２ステージでは、乱数を発生して、第１グループから１図画を選択し、さらに、乱数を発生して、第２グループから、第１グループから選択した１図画が示す数と異なる数を示す１図画を選択する。なお、第２グループからの選択は、第１グループから選択した数と異なる数が選択されるまで行われる。
【０２３６】
第３ステージでは、乱数を発生して、第１グループから１図画を選択し、さらに、乱数を発生して、第３グループから、第１グループから選択した１図画が示す数と異なる数を示す１図画を選択する。なお、第３グループからの選択は、第１グループから選択した数と異なる数が選択されるまで行われる。第４ステージでは、乱数を発生して、第２グループから異なる二つの図画を選択する。
【０２３７】
第５ステージでは、乱数を発生して、第２グループから１図画を選択し、さらに、乱数を発生して、第３グループから、第２グループから選択した１図画が示す数と異なる数を示す１図画を選択する。なお、第３グループからの選択は、第１グループから選択した数と異なる数が選択されるまで行われる。第６ステージでは、乱数を発生して、第３グループから異なる二つの図画を選択する。
【０２３８】
第７ステージでは、乱数を発生して、第１〜第３グループから１グループを選択する。さらに、乱数を発生して、第１〜第３グループから１グループを選択する。この選択は、先に選択したグループと異なるグループが選択されるまで行われる。そして、乱数を発生して、先に選択したグループから１図画を選択する。次に、乱数を発生して、後に選択したグループから、先に選択したグループから選択した１図画が示す数と異なる数を示す１図画を選択する。この選択は、先に選択した数と異なる数が選択されるまで行われる。
【０２３９】
第８ステージでは、乱数を発生して、第１〜第４グループから１グループを選択する。さらに、乱数を発生して、第１〜第４グループから１グループを選択する。この選択は、先に選択したグループと異なるグループが選択されるまで行われる。そして、乱数を発生して、先に選択したグループから１図画を選択する。次に、乱数を発生して、後に選択したグループから、先に選択したグループから選択した１図画が示す数と異なる数を示す１図画を選択する。この選択は、先に選択した数と異なる数が選択されるまで行われる。
【０２４０】
図３６を参照して、ステップＳ６１８では、プロセッサ２０は、経過時間ゲージ１０５の進行を開始すると共に、ステップＳ６１６で選択した２図画をそれぞれ数字表示部１２３Ｌ及び１２３Ｒに表示する。ステップＳ６２０にて、プロセッサ２０は、ステップＳ６１６の問題表示後１秒が経過したか否かを判断し、ＹＥＳの場合はステップＳ６３８に進み、ＮＯの場合はステップＳ６２２に進む。
【０２４１】
ステップＳ６２２にて、プロセッサ２０は、フットスイッチＳＷ２及びＳＷ３のいずれかのオフからオンへの遷移が発生したか否かを判断し、ＮＯの場合ステップＳ６２０に進み、ＹＥＳの場合ステップＳ６２４に進む。ステップＳ６２４では、プロセッサ２０は、オフからオンへの遷移が発生したフットスイッチが正解を示しているか否かを判断し、ＮＯの場合ステップＳ６３８に進み、ＹＥＳの場合ステップＳ６２６に進む。ステップＳ６２６にて、プロセッサ２０は、正解数ＣＡを１つインクリメントする。ステップＳ６２８では、プロセッサ２０は、本ステージが終了したか否かを判断し、ＮＯの場合ステップＳ６３０に進み、数字表示部１２３Ｌ及び１２３Ｒの図画の消去と経過時間ゲージ１０５のリセットを行って、ステップＳ６１６に進む。
【０２４２】
一方、ステップＳ６２８でＹＥＳが判断されると、ステップＳ６３２で、終了したステージが最終ステージか否かを判断して、ＹＥＳの場合ステップＳ６３８に進み、ＮＯの場合ステップＳ６３４に進む。ステップＳ６３８では、プロセッサ２０は、正解数ＣＡを含む結果画面を表示する。一方、ステップＳ６３４では、プロセッサ２０は、ステージを更新する。そして、ステップＳ６３６にて、プロセッサ２０は、問題文を切り替え、ステップＳ６１０に進む。
【０２４３】
［第３の判断力計測モード］
【０２４４】
このモードでは、まず、図５と同じレディ画面（タイトル等の表示文字列は本モードに合わせたもの）をテレビジョンモニタ５に表示する。この開始画面には、「左右同じならジャンプ」なる文字列が含まれる。また、プロセッサ２０は、被験者が乗るべき踏み領域ＳＴ２及びＳＴ３を明示すべく、マット２の踏み領域ＳＴ２及びＳＴ３に対応するマットオブジェクト２００の領域Ａ２及びＡ３を第１の所定色（右上がりの斜線部）に着色する。被験者が、マット２の踏み領域ＳＴ２及びＳＴ３に乗ると、つまり、フットスイッチＳＷ２及びＳＷ３がオンになると、プロセッサ２０は、開始の合図を表示した後、計測画面を表示する。なお、被験者は、マット２に乗ったままの状態で踏み込み動作を行う。
【０２４５】
図３７は、実施の形態による第３の判断力計測モードでの計測画面の例示図である。図３７に示すように、プロセッサ２０は、左オブジェクト１２５Ｌ及び右オブジェクト１２５Ｒを、それぞれ領域Ａ２及びＡ３の直上に表示する（出題）。左オブジェクト１２５Ｌ及び右オブジェクト１２５Ｒは、数値を示す図画を含む。被験者は、左オブジェクト１２５Ｌ及び右オブジェクト１２５Ｒのそれぞれが示す数値が互いに等しいときは、ジャンプして、対応するフットスイッチ（ＳＷ２，ＳＷ３）をオンからオフにする。この場合、被験者は、経過時間ゲージ１０５の色変化が完了してしまう前に正解しなければならない。
【０２４６】
経過時間ゲージ１０５の色変化が完了すると、プロセッサ２０は、経過時間ゲージ１０５の色を元に戻すと共に、新たな左オブジェクト１２５Ｌ及び右オブジェクト１２５Ｒを表示する。これに対して、被験者は、上記と同様に、経過時間ゲージ１０５の色変化が完了してしまう前に解答する。
【０２４７】
出題が１０回終了すると、プロセッサ２０は、「左右違うならジャンプ」なる文字列が含まれるレディ画面を表示する。そして、プロセッサ２０は、開始の合図を表示した後、図３７と同様の計測画面を表示する。被験者は、左オブジェクト１２５Ｌ及び右オブジェクト１２５Ｒのそれぞれが示す数値が互いに異なるときは、ジャンプして、対応するフットスイッチ（ＳＷ２，ＳＷ３）をオンからオフにする。この場合、被験者は、経過時間ゲージ１０５の色変化が完了してしまう前に正解しなければならない。
【０２４８】
プロセッサ２０は、以上のような、左右一致でジャンプする解答方法と左右不一致でジャンプする解答方法とを１０問単位で交互に繰り返し、出題が計３０問になったら終了する。プロセッサ２０は、経過時間ゲージ１０５の色変化が完了する時間、つまり、被験者に与えられた解答時間を１問終了するたびに短くしていく。本実施の形態では、１問目の３秒から始まって、３０問目の０．５秒まで、所定のパーセンテージで、解答時間を短くしていく。最終的に、プロセッサ２０は、３０問中、何問正解できたか（正答率）を表示する。正答率は、被験者の判断力及び抑制力を判断する目安となる。正答率が高いほど、判断力及び抑制力が高いということになる。また、正答率は、瞬発力、反射神経、及び敏捷性を判断する目安ともなる。
【０２４９】
被験者が、このような計測を繰り返し行うことにより、抑制力、判断力、瞬発力、反射神経、及び敏捷性といった機能の向上を期待できる。つまり、判断力と運動時の抑制力とを養うと共に、判断力の柔軟性、指示処理能力、行った運動に対する状況判断能力が養われることが期待できる。また、日常生活での高度な運動神経機能を向上できると思われる。
【０２５０】
図３８は、図２のプロセッサ２０が実行する第３の判断力計測処理の流れを示すフローチャートである。図３８を参照して、ステップＳ６５０にて、プロセッサ２０は、この処理で使用する変数やフラグを初期化する。ステップＳ６５２にて、プロセッサ２０は、レディ画面を表示する。ステップＳ６５４にて、プロセッサ２０は、フットスイッチＳＷ２及びＳＷ３の双方について、オフからオンへの遷移が発生したか否かをチェックする。そして、プロセッサ２０は、ＮＯならばステップＳ６５４に戻り、ＹＥＳならばステップＳ６５６に進む。ステップＳ６５６にて、プロセッサ２０は、カウントダウンを開始すると共に、カウントダウンの進行を示す計測開始画面（図示せず）を表示する。ステップＳ６５８にて、プロセッサ２０は、カウント値が０か否かを判断し、０でない場合はステップＳ６５８に戻り、０の場合ステップＳ６６０に進む。
【０２５１】
ステップＳ６６０にて、プロセッサ２０は、問題文（同じでジャンプ又は異なるときジャンプ）を表示する。ステップＳ６６２にて、プロセッサ２０は、一定時間が経過したか否かを判断し、ＮＯの場合ステップＳ６６２に進み、ＹＥＳの場合ステップＳ６６４に進んで、問題文を消去する。ステップＳ６６６にて、プロセッサ２０は、乱数を発生して、問題を決定する。詳しくは次の通りである。乱数を発生して、１〜９の数字から１つを選択する。さらに、乱数を発生して、１〜９の数字から１つを選択する。これにより、２つの数字が選択される。
【０２５２】
ステップＳ６６８では、プロセッサ２０は、経過時間ゲージ１０５の進行を開始すると共に、ステップＳ６６６で決定した一方の数字を示す左オブジェクト１２５Ｌ、及び、ステップＳ６６６で決定した他方の数字を示す右オブジェクト１２５Ｒを表示する。ステップＳ６７０にて、プロセッサ２０は、ステップＳ６６８の問題表示後ＴＡ秒が経過したか否かを判断し、ＹＥＳの場合はステップＳ６７４に進み、ＮＯの場合はステップＳ６７２に進む。
【０２５３】
ステップＳ６７２にて、プロセッサ２０は、被験者の入力に基づいて正解判定を行い、ステップＳ６７４に進む。ステップＳ６７４では、プロセッサ２０は、本ステージが終了したか否かを判断し、ＮＯの場合ステップＳ６７６に進み、左オブジェクト１２５Ｌ及び右オブジェクト１２５Ｒの消去と経過時間ゲージ１０５のリセットを行って、ステップＳ６６６に進む。
【０２５４】
一方、ステップＳ６７４でＹＥＳが判断されると、ステップＳ６７８で、終了したステージが最終ステージか否かを判断して、ＹＥＳの場合ステップＳ６８４に進み、ＮＯの場合ステップＳ６８０に進む。ステップＳ６８４では、プロセッサ２０は、正解数ＣＡを含む結果画面を表示する。一方、ステップＳ６８０では、プロセッサ２０は、ステージを更新する。そして、ステップＳ６８２にて、プロセッサ２０は、問題文の切り替えと時間ＴＡを更新して、ステップＳ６６０に進む。なお、時間ＴＡは更新のたびに短い値に設定される。
【０２５５】
図３９は、図３５のステップＳ６７２の正解判定処理の流れを示すフローチャートである。図３９を参照して、ステップＳ７００にて、プロセッサ２０は、問題文が、「左右同じならジャンプ」である場合はステップＳ７０２に進み、それ以外、つまり、問題文が、「左右違うならジャンプ」である場合はステップＳ７１０に進む。
【０２５６】
ステップＳ７０２にて、プロセッサ２０は、問題、つまり、左オブジェクト１２５Ｌ及び右オブジェクト１２５Ｒが同じ数を示しているか否かを判断し、ＹＥＳの場合ステップＳ７０４に進み、ＮＯの場合ステップＳ７０８に進む。ステップＳ７０４では、プロセッサ２０は、フットスイッチＳＷ２及びＳＷ３の双方について、オンからオフへの遷移が発生したか否かを判断し、ＮＯの場合図３８のステップＳ６７０に進み、ＹＥＳの場合ステップＳ７０６に進む。これは、問題文が「左右同じならジャンプ」である場合で、かつ、二つの数値が同じ場合には、フットスイッチＳＷ３及びＳＷ４の双方がオフしたときにのみ正解と判断する処理である。これにより、被験者の緊張感を高めることができる。ステップＳ７０６では、正解数ＣＡを１つインクリメントして、リターンする。
【０２５７】
一方、ステップＳ７０２でＮＯの場合、つまり、左オブジェクト１２５Ｌ及び右オブジェクト１２５Ｒが異なる数を示している場合、ステップＳ７０８に進む。ステップＳ７０８では、プロセッサ２０は、フットスイッチＳＷ２及びＳＷ３の少なくとも一方のオンからオフへの遷移が発生したか否かを判断し、ＹＥＳの場合リターンし、ＮＯの場合、つまり、フットスイッチＳＷ２及びＳＷ３の双方がオンを維持している場合図３８のステップＳ６７０に進む。これは、問題文が「左右同じならジャンプ」である場合で、かつ、二つの数値が異なる場合には、フットスイッチＳＷ３及びＳＷ４のいずれかがオフしたときに即座に不正解と判断する処理である。これにより、被験者の緊張感を高めることができる。
【０２５８】
一方、ステップＳ７００にて、問題文が、「左右違うならジャンプ」であると判断された場合、ステップＳ７１０にて、プロセッサ２０は、問題、つまり、左オブジェクト１２５Ｌ及び右オブジェクト１２５Ｒが異なる数を示しているか否かを判断し、ＹＥＳの場合ステップＳ７１２に進み、ＮＯの場合ステップＳ７１６に進む。ステップＳ７１２では、プロセッサ２０は、フットスイッチＳＷ２及びＳＷ３の双方について、オンからオフへの遷移が発生したか否かを判断し、ＮＯの場合図３８のステップＳ６７０に進み、ＹＥＳの場合ステップＳ７１４に進む。これは、問題文が「左右違うならジャンプ」である場合で、かつ、二つの数値が違う場合には、フットスイッチＳＷ３及びＳＷ４の双方がオフしたときにのみ正解と判断する処理である。これにより、被験者の緊張感を高めることができる。ステップＳ７１４では、正解数ＣＡを１つインクリメントして、リターンする。
【０２５９】
一方、ステップＳ７１０でＮＯの場合、つまり、左オブジェクト１２５Ｌ及び右オブジェクト１２５Ｒが同じ数を示している場合、ステップＳ７７１６に進む。ステップＳ７１６では、プロセッサ２０は、フットスイッチＳＷ２及びＳＷ３の少なくとも一方のオンからオフへの遷移が発生したか否かを判断し、ＹＥＳの場合リターンし、ＮＯの場合、つまり、フットスイッチＳＷ２及びＳＷ３の双方がオンを維持している場合図３８のステップＳ６７０に進む。これは、問題文が「左右違うならジャンプ」である場合で、かつ、二つの数値が同じ場合には、フットスイッチＳＷ３及びＳＷ４のいずれかがオフしたときに即座に不正解と判断する処理である。これにより、被験者の緊張感を高めることができる。
【０２６０】
［記憶力計測モード］
【０２６１】
このモードでは、まず、プロセッサ２０は、図５と同じレディ画面（タイトル等の表示文字列は本モードに合わせたもの）をテレビジョンモニタ５に表示する。被験者が、マット２の踏み領域ＳＴ２及びＳＴ３を押して、フットスイッチＳＷ２及びＳＷ３をオンにすると、プロセッサ２０は、開始の合図を表示してから、問題画面を表示する。なお、被験者は、フットスイッチＳＷ２及びＳＷ３をオンにした後、両足をマット２から下ろして待機する。
【０２６２】
図４０は、実施の形態による記憶力計測モードでの問題画面の例示図である。図４０に示すように、プロセッサ２０は、問題画面のマットオブジェクト２００の上方にＮ（Ｎは３以上の整数）個のガイドオブジェクト１２７を表示する。そして、図中左から順番に、かつ、一定時間間隔Ｔｇで、ガイドオブジェクト１２７を所定色に変化させる。プロセッサ２０は、ガイドオブジェクト１２７が所定色に変化する度に、カーソル１２９を、領域Ａ１〜Ａ４上のいずれかに表示し、直ちに消滅させる。
【０２６３】
被験者は、領域Ａ１〜Ａ４上にカーソル１２９がどのような順番で表示されたかを記憶することを試みる。そして、被験者は、次に表示される解答画面を見ながら、記憶した順番で、領域（Ａ１〜Ａ４）に対応する踏み領域（ＳＴ１〜ＳＴ４）を踏み込んでいく。なお、プロセッサ２０は、ガイドオブジェクト１２７の個数Ｎと同じ回数Ｎだけ、カーソル１２９を表示・消滅させる。このため、被験者は、表示されたガイドオブジェクト１２７の個数Ｎにより、記憶すべき順番が何番から何番まで存在するかを予め把握できる。
【０２６４】
図４１は、実施の形態による記憶力計測モードでの解答画面の例示図である。プロセッサ２０は、図４０の問題画面の終了後、開始の合図を表示してから、図４１の解答画面を表示する。プロセッサ２０は、経過時間を色の変化（斜線部）で示す経過時間ゲージ１０５を表示する。経過時間ゲージ１０５の全長は、被験者に与えられた解答時間を表す。被験者が、経過時間ゲージ１０５の色変化が完了してしまう前に、カーソル１２９が示した順番で、踏み領域（ＳＴ１〜ＳＴ４）を踏み込むとクリアとなる。もし、カーソル１２９が示した順番と異なる順番で、踏み領域（ＳＴ１〜ＳＴ４）が踏み込まれた場合は、プロセッサ２０は、その時点で失敗と判定する。また、解答画面には、問題画面のガイドオブジェクト１２７と同じ数Ｎのガイドオブジェクト１２７が表示され、同じように、所定色に変化していく。なお、経過時間ゲージ１０５の全長に相当する時間は、図中左端のガイドオブジェクトが所定色に変化してから、図中右端のガイドオブジェクトが所定色に変化した後、さらに０．５秒までの時間に相当する。
【０２６５】
ここで、問題画面及び解答画面のガイドオブジェクト１２７の個数Ｎは、３から始まり、被験者が問題をクリアするたびに、個数Ｎが１つ増える（Ｎ←Ｎ＋１）。つまり、記憶すべき対象が増加し、難易度が上がる。個数Ｎが１つ増えると、ガイドオブジェクト１２７の色変化の時間間隔Ｔｇも短縮される。
【０２６６】
この場合、ガイドオブジェクト１２７の現在の個数をｎとすると、現在においてカーソル１２９が示す順番は、ガイドオブジェクト１２７の個数が（ｎ−１）のときにガイドオブジェクト１２７が示した順番に対して、覚えるべき位置をもう１つ追加したものとなる。つまり、ガイドオブジェクト１２７の現在の個数がｎの場合、ｎ番目までの順番が示されるところ、（ｎ−１）番目までの順番には変更がない。
【０２６７】
このように、第１番目から第（ｎ−１）番目までは、順番に変更がないにも拘らず、ガイドオブジェクト１２７の個数が増えるたびに、第１番目から第ｎ番目までの全ての順番が示される。このことは、被験者の記憶をある程度容易なものとする。これに対して、難易度を上げるために、次のようにすることもできる。つまり、ガイドオブジェクト１２７の現在の個数がｎの場合、新たに追加するｎ番目だけをカーソル１２９で示す。従って、この場合、（ｎ−１）番目までの順番は、上記のように再度示されることはなく、難易度が上がる。なお、ガイドオブジェクト１２７の個数が増えるたびに、前回とは全く異なる順番を示すこともできる。この場合は、その都度、全ての順番が示される。
【０２６８】
さて、最後にクリアした問題画面のガイドオブジェクト１２７の個数Ｎは、被験者の記憶力の程度の目安となる。最後にクリアした問題画面のガイドオブジェクト１２７の個数Ｎが大きいほど、被験者の記憶力が優れていることになる。また、最終的な個数Ｎは、被験者の集中力を判断する目安ともなる。
【０２６９】
被験者が、このような計測を繰り返し行うことにより、記憶力及び集中力といった機能の向上を期待できる。つまり、短時間の記憶力と反応性が養われると同時に、判断の持続性や集中力が養われることが期待できる。これは、物忘れの予防になると共に身体運動反応も養われると期待できる。
【０２７０】
図４２及び図４３は、それぞれ、図２のプロセッサ２０が実行する記憶力計測処理の前半部及び後半部の流れを示すフローチャートである。図４２を参照して、ステップＳ７３０にて、プロセッサ２０は、この処理で使用する変数やフラグを初期化する。ステップＳ７３２にて、プロセッサ２０は、レディ画面を表示する。ステップＳ７３４にて、プロセッサ２０は、フットスイッチＳＷ２及びＳＷ３の双方について、オフからオンへの遷移が発生したか否かをチェックする。そして、プロセッサ２０は、ＮＯならばステップＳ７３４に戻り、ＹＥＳならばステップＳ７３６に進む。ステップＳ７３６にて、プロセッサ２０は、カウントダウンを開始すると共に、カウントダウンの進行を示す計測開始画面（図示せず）を表示する。ステップＳ７３８にて、プロセッサ２０は、カウント値が０か否かを判断し、０でない場合はステップＳ７３８に戻り、０の場合ステップＳ７４０に進む。
【０２７１】
ステップＳ７４０にて、プロセッサ２０は、Ｎ個のガイドオブジェクト１２７を表示する。なお、Ｎの初期値は３である。ステップＳ７４２にて、プロセッサ２０は、一定時間が経過したか否かを判断して、ＮＯの場合ステップＳ７４２に戻り、ＹＥＳの場合ステップＳ７４４に進む。ステップＳ７４４にて、プロセッサ２０は、乱数を発生して、カーソル１２９の表示位置を決定する。つまり、乱数を発生して、領域Ａ１〜Ａ４のいずれか１つを選択する。ステップＳ７４６にて、プロセッサ２０は、第ｍ番目のガイドオブジェクト１２７の色を変更すると共に、カーソル１２９をステップＳ７４４で選択した領域（Ａ１〜Ａ４）に重ねて表示する。なお、ガイドオブジェクト１２７は、左から第０番目とし、右に行くにつれ、大きくなるものとする。
【０２７２】
ステップＳ７４８にて、プロセッサ２０は、一定時間が経過したか否かを判断して、ＮＯの場合ステップＳ７４８に戻り、ＹＥＳの場合ステップＳ７５０に進む。ステップＳ７５０では、プロセッサ２０は、変数ｍを１つインクリメントする。ステップＳ７５２にて、プロセッサ２０は、変数ｍが（Ｎ−１）に等しいか否かを判断し、ＮＯの場合ステップＳ７４４に戻り、ＹＥＳの場合図４３のステップＳ７５４に進む。
【０２７３】
図４３を参照して、ステップＳ７５４にて、プロセッサ２０は、変数ｍに０を代入する。ステップＳ７５６にて、プロセッサ２０は、Ｎ個のガイドオブジェクト１２７の色を元の色へ戻す。ステップＳ７５８にて、プロセッサ２０は、計時の開始と、経過時間ゲージ１０５の進行の開始と、を実行する。ステップＳ７６０にて、プロセッサ２０は、フットスイッチＳＷ１〜ＳＷ４のいずれかのオフからオンへの遷移が発生したか否かを判断して、ＮＯの場合ステップＳ７７２に進み、ＹＥＳの場合ステップＳ７６２に進む。
【０２７４】
ステップＳ７６２では、プロセッサ２０は、オフからオンへの遷移が発生したフットスイッチが、ステップＳ７４６で指示された位置を示しているか否かを判断し、ＮＯの場合ステップＳ７７４に進み、ＹＥＳの場合ステップＳ７６４に進む。ステップＳ７６４では、プロセッサ２０は、変数ｍが（Ｎ−１）に等しいか否かを判断して、ＮＯの場合ステップＳ７６０に進み、ＹＥＳの場合ステップＳ７６８に進む。ステップＳ７６８では、プロセッサ２０は、個数Ｎを１つインクリメントする。ステップＳ７７０にて、プロセッサ２０は、個数Ｎが１６に等しいか否かを判断して、ＮＯの場合図４２のステップＳ７４０に進み、ＹＥＳの場合ステップＳ７７４に進む。ステップＳ７７４では、プロセッサ２０は、最後にクリアした問題画面のガイドオブジェクト１２７の個数Ｎを含む結果画面を表示する。
【０２７５】
ステップＳ７６０でＮＯが判断された後、ステップＳ７７２にて、プロセッサ２０は、一定時間が経過したか否かを判断し、ＮＯの場合ステップＳ７６０に戻り、ＹＥＳの場合ステップＳ７７４に進む。
【０２７６】
［運動能力計測モード］
【０２７７】
このモードは、二人の人間が縄の両端をそれぞれ持って縄を回転させ、他の人間がその中に入って縄に触れないように跳ぶ、いわゆる、縄跳びを擬似的に行うものである。
【０２７８】
このモードでは、まず、プロセッサ２０は、図５と同じレディ画面（タイトル等の表示文字列は本モードに合わせたもの）をテレビジョンモニタ５に表示する。被験者が、マット２の踏み領域ＳＴ２及びＳＴ３を押して、フットスイッチＳＷ２及びＳＷ３をオンにすると、プロセッサ２０は、開始の合図を表示してから、次の計測画面を表示する。なお、被験者は、踏み領域ＳＴ２及びＳＴ３に乗ったまま本モードを実行する。
【０２７９】
図４４は、実施の形態による運動能力計測モードでの計測画面の例示図である。図４４を参照して、この画面は、カウンタ１４０、キャラクタ１４２、及び縄跳びの縄を模した縄オブジェクト１４４を含む。プロセッサ２０は、キャラクタ１４２が縄オブジェクト１４４を時計回りに一定速度で回転させるアニメーションを行う。そして、被験者は、縄オブジェクト１４４が最下部（つまり６時の方向）に到達するタイミングでジャンプする。プロセッサ２０は、被験者のジャンプが成功すると、カウンタ１４０を１つカウントアップする。一方、プロセッサ２０は、被験者のジャンプが失敗すると、縄に引っかかったような、キャラクタ１４２及び縄オブジェクト１４４のアニメーションを行い、計測を終了する。次に、成功／失敗判定の詳細を説明する。
【０２８０】
本システムでは、プロセッサ２０は、１／６０秒ごとにビデオフレームを更新する。縄オブジェクト１４４の画像が６０枚用意される。プロセッサ２０は、１／６０秒ごとに縄オブジェクト１４４の画像を更新して、あたかも縄が回転しているかのような映像を作り出す。
【０２８１】
縄オブジェクト１４４が最上部（つまり１２時の方向）に到達してから右水平方向（つまり３時の方向）に到達するまでの間において、マット２のフットスイッチＳＷ１〜ＳＷ４が少なくとも１つオンしている状態を検知した場合、プロセッサ２０は、成功／失敗判定を行い、それ以外は、成功／失敗判定を行わない。この場合、プロセッサ２０は、縄オブジェクト１４４が右水平方向（つまり３時の方向）に到達したときに、成功／失敗判定を行うかどうかの結論を出す。
【０２８２】
縄オブジェクト１４４が右水平方向（つまり３時の方向）に到達してから最下部（つまり６時の方向）に到達するまでの間において、マット２の全てのフットスイッチＳＷ１〜ＳＷ４がオフした状態を検知した場合、プロセッサ２０は、ジャンプ成功と判定し、それ以外はジャンプ失敗と判定する。この場合、プロセッサ２０は、縄オブジェクト１４４が最下部（つまり６時の方向）に到達したときに、判定の結論を出す。
【０２８３】
さて、カウンタ１４０に表示されたカウント値、つまり、被験者がうまく跳んだ回数は、被験者のある種の運動能力の程度の目安となる。カウント値が大きいほど、被験者の運動能力が優れていることになる。被験者が、このような計測を繰り返し行うことにより、当該運動能力の向上を期待できる。
【０２８４】
図４５は、図２のプロセッサ２０が実行する運動能力計測処理の流れを示すフローチャートである。図４５を参照して、ステップＳ８００にて、プロセッサ２０は、この処理で使用する変数やフラグを初期化する。ステップＳ８０２にて、プロセッサ２０は、レディ画面を表示する。ステップＳ８０４にて、プロセッサ２０は、フットスイッチＳＷ２及びＳＷ３の双方について、オフからオンへの遷移が発生したか否かをチェックする。そして、プロセッサ２０は、ＮＯならばステップＳ８０４に戻り、ＹＥＳならばステップＳ８０６に進む。ステップＳ８０６にて、プロセッサ２０は、カウントダウンを開始すると共に、カウントダウンの進行を示す計測開始画面（図示せず）を表示する。ステップＳ８０８にて、プロセッサ２０は、カウント値が０か否かを判断し、０でない場合はステップＳ８０８に戻り、０の場合ステップＳ８１０に進む。
【０２８５】
ステップＳ８１０にて、プロセッサ２０は、縄オブジェクト１４４を時計回りに回すアニメーションを開始する。ステップＳ８１２にて、プロセッサ２０は、縄オブジェクト１４４が１２時から３時の方向に位置するか否かを判断し、ＮＯの場合ステップＳ８１２に戻り、ＹＥＳの場合ステップＳ８１４に進む。ステップＳ８１４にて、プロセッサ２０は、フットスイッチＳＷ１〜ＳＷ４の少なくとも１つがオンか否かを判断し、ＮＯの場合ステップＳ８１８に進み、ＹＥＳの場合ステップＳ８１６に進む。ステップＳ８１６では、プロセッサ２０は、成功／失敗判定を行うか否かを示す第１フラグをオンにして、ステップＳ８１８に進む。ステップＳ８１８にて、プロセッサ２０は、縄オブジェクト１４４が、３時の方向に位置するか否かを判断し、ＮＯの場合ステップＳ８１４に戻り、ＹＥＳの場合ステップＳ８２０に進む。
【０２８６】
ステップＳ８２０にて、プロセッサ２０は、第１フラグがオンか否かを判断して、オンの場合、つまり、成功／失敗判定を行う場合、ステップＳ８２２に進み、オフの場合ステップＳ８１２に進む。ステップＳ８２２にて、プロセッサ２０は、フットスイッチＳＷ１〜ＳＷ４の全てがオフか否かを判断して、ＮＯの場合ステップＳ８２６に進み、ＹＥＳの場合ステップＳ８２４に進む。ステップＳ８２４では、プロセッサ２０は、ジャンプが成功したことを示す第２フラグをオンにして、ステップＳ８２６に進む。
【０２８７】
ステップＳ８２６にて、プロセッサ２０は、縄オブジェクト１４４が６時の方向に位置するか否かを判断して、ＮＯの場合ステップＳ８２２に戻り、ＹＥＳの場合ステップＳ８２８に進む。ステップＳ８２８では、プロセッサ２０は、第２フラグがオンか否かを判断して、ＹＥＳの場合ステップＳ８３０に進み、ＮＯの場合ステップＳ８３６に進む。ステップＳ８３０では、プロセッサ２０は、第１及び第２フラグをオフにして、ステップＳ８３２に進む。ステップＳ８３２では、成功回数、つまり跳んだ回数を示すカウンタＣＪを１つインクリメントする。ステップＳ８３４にて、プロセッサ２０は、カウンタＣＪの値を表示して、ステップＳ８１２に進む。一方、ステップＳ８２８でＮＯが判断された場合、つまり、失敗の場合ステップＳ８３６にて、プロセッサ２０は、失敗のアニメーションを表示する。
【０２８８】
なお、本発明は、上記の実施の形態に限られるものではなく、その要旨を逸脱しない範囲で種々の態様において実施することが可能であり、例えば、以下のような変形も可能である。
【０２８９】
（１）図１５のリズムガイド画面及び図１６の計測中画面を１セットとしたときに、リズム感計測モードでは、複数セットを実行することもできる。この場合、ガイドオブジェクト９０の出現間隔Ｔｇ、つまり、テンポをセットごとに異ならせる。従って、被験者は、セットごとに異なったテンポに基づく足踏みを行わなければならない。その結果、セット間のテンポが同一である場合と比較して、難易度を上げることができる。
【０２９０】
（２）上記では、被験者に対して、映像により様々な指示を与えたが、音声と共に、又は、音声のみによって指示を与えることもできる。
【０２９１】
（３）滞空時間計測モード、滞空率計測モード、敏捷性計測モード、身体反射力計測モード、身体反応力計測モード、身体追従力計測モード、及び運動機能計測モードによる計測対象は、主に運動能力に依存するものと考えられる。一方、第１〜第３の判断力計測モード、記憶力計測モード、リズム感計測モード、及び体内時計計測モードによる計測対象は、脳の働きがより密接に関連するものと考えられる。
【０２９２】
（４）上記では、被験者の踏み動作やジャンプ等は、マット２のフットスイッチＳＷ１〜ＳＷ４により検知された。ただし、被験者の動作の検知は、これに限定されない。例えば、イメージセンサやＣＣＤ等の撮像素子により、被験者を撮影して、その動作を検知することもできる。この場合、撮影対象部位に、再帰反射シートを装着することが好ましい。また、例えば、サンダルや靴等の履物の底にセンサを設けて、被験者の踏み込みを検知することもできる。この場合、センサとしても様々な種類のものを用いることができる。例えば、プッシュスイッチ、簡略な機械式センサ、圧力センサ、又はメンブレンスイッチ等を用いることができる。さらに、例えば、圧電式、動電式、ひずみゲージ式、又は半導体式（ＭＥＭＳ：Ｍｉｃｒｏ  Ｅｌｅｃｔｒｏ  Ｍｅｃｈａｎｉｃａｌ  Ｓｙｓｔｅｍｓ）の加速度センサを用いて、被験者の踏み込み動作を検知することができる。この場合、加速度センサを内蔵した歩数計型の検知ユニットを利用できる。
【図面の簡単な説明】
【０２９３】
【図１】本発明の実施の形態によるマットシステムの全体構成を示すブロック図である。
【図２】図１のマットユニット７、アダプタ１、及びカートリッジ３の電気的構成を示す図である。
【図３】図２のプロセッサ２０が実行する処理の流れを示すフローチャートである。
【図４】図３のステップＳ３で実行される処理の１つである計時処理の流れを示すフローチャートである。
【図５】実施の形態による滞空時間計測モードでのレディ画面の例示図である。
【図６】実施の形態による滞空時間計測モードでの計測中画面の例示図である。
【図７】図３のステップＳ３で実行される処理の１つである踏み位置明示処理の流れを示すフローチャートである。
【図８】図２のプロセッサ２０が実行する滞空時間計測処理の流れを示すフローチャートである。
【図９】実施の形態による滞空率計測モードでの計測中画面の例示図である。
【図１０】実施の形態による滞空率計測モードでの計測結果画面の例示図である。
【図１１】図２のプロセッサ２０が実行する滞空率計測処理の前半部の流れを示すフローチャートである。
【図１２】図２のプロセッサ２０が実行する滞空率計測処理の後半部の流れを示すフローチャートである。
【図１３】実施の形態による敏捷性計測モードでの計測中画面の例示図である。
【図１４】図２のプロセッサ２０が実行する敏捷性計測処理の流れを示すフローチャートである。
【図１５】実施の形態によるリズム感計測モードでのガイド画面の例示図である。
【図１６】実施の形態によるリズム感計測モードでの計測中画面の例示図である。
【図１７】実施の形態によるリズム感計測モードでの計測結果画面の例示図である。
【図１８】図２のプロセッサ２０が実行するリズム感計測処理の前半部の流れを示すフローチャートである。
【図１９】図２のプロセッサ２０が実行するリズム感計測処理の後半部の流れを示すフローチャートである。
【図２０】図２のプロセッサ２０が実行するステップ間隔測定処理の流れを示すフローチャートである。
【図２１】実施の形態による体内時計計測モードでの開始画面の例示図である。
【図２２】図２のプロセッサ２０が実行する体内時計計測処理の流れを示すフローチャートである。
【図２３】実施の形態による身体反射力計測モードでの計測中画面の例示図である。
【図２４】図２のプロセッサ２０が実行する身体反射力計測処理の流れを示すフローチャートである。
【図２５】実施の形態による身体反応力計測モードでの計測中画面の例示図である。
【図２６】図２のプロセッサ２０が実行する身体反応力計測処理の流れを示すフローチャートである。
【図２７】実施の形態による身体追従力計測モードでの計測中画面の例示図である。
【図２８】図２のプロセッサ２０が実行する身体追従力計測処理の前半部の流れを示すフローチャートである。
【図２９】図２のプロセッサ２０が実行する身体追従力計測処理の後半部の流れを示すフローチャートである。
【図３０】図２のプロセッサ２０が実行する、ずれ測定処理の流れを示すフローチャートである。
【図３１】実施の形態による第１の判断力計測モードでの計測画面の例示図である。
【図３２】図２のプロセッサ２０が実行する第１の判断力計測処理の流れを示すフローチャートである。
【図３３】図３２のステップＳ５６２の問題決定処理（第１ステージ）の流れを示すフローチャートである。
【図３４】図３２のステップＳ５６２の問題決定処理（第３ステージ）の流れを示すフローチャートである。
【図３５】実施の形態による第２の判断力計測モードでの計測画面の例示図である。
【図３６】図２のプロセッサ２０が実行する第２の判断力計測処理の流れを示すフローチャートである。
【図３７】実施の形態による第３の判断力計測モードでの計測画面の例示図である。
【図３８】図２のプロセッサ２０が実行する第３の判断力計測処理の流れを示すフローチャートである。
【図３９】図３５のステップＳ６７２の正解判定処理の流れを示すフローチャートである。
【図４０】実施の形態による記憶力計測モードでの問題画面の例示図である。
【図４１】実施の形態による記憶力計測モードでの解答画面の例示図である。
【図４２】図２のプロセッサ２０が実行する記憶力計測処理の前半部の流れを示すフローチャートである。
【図４３】図２のプロセッサ２０が実行する記憶力計測処理の後半部の流れを示すフローチャートである。
【図４４】実施の形態による運動能力計測モードでの計測画面の例示図である。
【図４５】図２のプロセッサ２０が実行する運動能力計測処理の流れを示すフローチャートである。
【符号の説明】
【０２９４】
１…アダプタ、３…カートリッジ、５…テレビジョンモニタ、７…マットユニット、２０…プロセッサ、２２…外部メモリ、２４…ＩＲレシーバ、３０…ＩＲ発光部、３２…ＭＣＵ、ＳＷ１〜ＳＷ４…フットスイッチ。
【図１】
2008029475.tif 000003
【図２】
2008029475.tif 000004
【図３】
2008029475.tif 000005
【図４】
2008029475.tif 000006
【図７】
2008029475.tif 000007
【図８】
2008029475.tif 000008
【図１１】
2008029475.tif 000009
【図１２】
2008029475.tif 000010
【図１４】
2008029475.tif 000011
【図１８】
2008029475.tif 000012
【図１９】
2008029475.tif 000013
【図２０】
2008029475.tif 000014
【図２２】
2008029475.tif 000015
【図２４】
2008029475.tif 000016
【図２６】
2008029475.tif 000017
【図２８】
2008029475.tif 000018
【図２９】
2008029475.tif 000019
【図３０】
2008029475.tif 000020
【図３２】
2008029475.tif 000021
【図３３】
2008029475.tif 000022
【図３４】
2008029475.tif 000023
【図３６】
2008029475.tif 000024
【図３８】
2008029475.tif 000025
【図３９】
2008029475.tif 000026
【図４２】
2008029475.tif 000027
【図４３】
2008029475.tif 000028
【図４５】
2008029475.tif 000029
【図５】
2008029475.tif 000030
【図６】
2008029475.tif 000031
【図９】
2008029475.tif 000032
【図１０】
2008029475.tif 000033
【図１３】
2008029475.tif 000034
【図１５】
2008029475.tif 000035
【図１６】
2008029475.tif 000036
【図１７】
2008029475.tif 000037
【図２１】
2008029475.tif 000038
【図２３】
2008029475.tif 000039
【図２５】
2008029475.tif 000040
【図２７】
2008029475.tif 000041
【図３１】
2008029475.tif 000042
【図３５】
2008029475.tif 000043
【図３７】
2008029475.tif 000044
【図４０】
2008029475.tif 000045
【図４１】
2008029475.tif 000046
【図４４】
2008029475.tif 000047